(57)【特許請求の範囲】
【請求項１】
室外ユニットと、室内ユニットと、を備えた空気調和機を制御するリモートコントローラーであって、
異なる種類のデジタルオブジェクトのデータを記憶する記憶部と、
前記デジタルオブジェクトを表示させる表示部と、前記デジタルオブジェクトの操作を検知する操作入力部と、で構成されるタッチパネルディスプレイと、
前記タッチパネルディスプレイを制御する制御処理部と、
を備え、
前記制御処理部は、
それぞれの前記デジタルオブジェクトのうち、前記室内ユニットの周囲環境又は前記操作入力部の操作履歴から想定される操作に応じた前記デジタルオブジェクトを表示させる
ことを特徴とするリモートコントローラー。
【請求項２】
前記制御処理部は、
前記室外ユニット及び前記室内ユニットが稼働している場合、前記操作履歴から想定される操作に応じた前記デジタルオブジェクトを表示させ、
前記室外ユニット及び前記室内ユニットが稼働していない場合、前記周囲環境から想定される操作に応じた前記デジタルオブジェクトを表示させる
ことを特徴とする請求項１に記載のリモートコントローラー。
【請求項３】
前記制御処理部は、
前記室内ユニットの空調対象空間で人の存否状態が不在状態から在室状態に遷移した場合、前記周囲環境又は前記操作履歴から想定される操作に応じた前記デジタルオブジェクトを表示させる
ことを特徴とする請求項１又は２に記載のリモートコントローラー。
【請求項４】
前記制御処理部は、
前記周囲環境から想定される操作に応じた前記デジタルオブジェクトを表示させる場合、前記室内ユニットの空調対象空間に対応する室内温度と、冷房判定温度と、暖房判定温度と、に基づいて、冷房運転又は暖房運転の運転開始に使用される前記デジタルオブジェクトを表示させる
ことを特徴とする請求項１〜３の何れか一項に記載のリモートコントローラー。
【請求項５】
前記制御処理部は、
前記操作履歴から想定される操作に応じた前記デジタルオブジェクトを表示させる場合、前記操作履歴のうち、前回の操作に対応する運転モードの設定に使用される前記デジタルオブジェクトを表示させる
ことを特徴とする請求項１〜３の何れか一項に記載のリモートコントローラー。
【請求項６】
前記制御処理部は、
前記デジタルオブジェクトの表示サイズを変更させる
ことを特徴とする請求項４又は５に記載のリモートコントローラー。
【請求項７】
前記制御処理部は、
前記周囲環境から想定される操作に応じた前記デジタルオブジェクトを表示させる場合、前記周囲環境に対応する前記デジタルオブジェクトの表示サイズを、前記周囲環境に対応しない前記デジタルオブジェクトの表示サイズと比べて大きくする
ことを特徴とする請求項６に記載のリモートコントローラー。
【請求項８】
前記制御処理部は、
前記操作履歴から想定される操作に応じた前記デジタルオブジェクトを表示させる場合、前記操作履歴に対応する前記デジタルオブジェクトの表示サイズを、前記操作履歴に対応しない前記デジタルオブジェクトの表示サイズと比べて大きくする
ことを特徴とする請求項６に記載のリモートコントローラー。
【請求項９】
前記制御処理部は、
前記デジタルオブジェクトの表示位置を変更させる
ことを特徴とする請求項４又は５に記載のリモートコントローラー。
【請求項１０】
前記制御処理部は、
前記表示部に出力させる表示画面に前記デジタルオブジェクトを表示させるものであって、
前記周囲環境から想定される操作に応じた前記デジタルオブジェクトを表示させる場合、前記周囲環境に対応する前記デジタルオブジェクトの表示位置を前記表示画面の中央側に表示させ、前記周囲環境に対応しない前記デジタルオブジェクトの表示位置を前記表示画面の縁側に表示させる
ことを特徴とする請求項９に記載のリモートコントローラー。
【請求項１１】
前記制御処理部は、
前記表示部に出力させる表示画面に前記デジタルオブジェクトを表示させるものであって、
前記操作履歴から想定される操作に応じた前記デジタルオブジェクトを表示させる場合、前記操作履歴に対応する前記デジタルオブジェクトの表示位置を前記表示画面の中央側に表示させ、前記操作履歴に対応しない前記デジタルオブジェクトの表示位置を前記表示画面の縁側に表示させる
ことを特徴とする請求項９に記載のリモートコントローラー。
【請求項１２】
前記制御処理部は、
前記デジタルオブジェクトの表示色を変更させる
ことを特徴とする請求項４又は５に記載のリモートコントローラー。
【請求項１３】
前記制御処理部は、
前記周囲環境から想定される操作に応じた前記デジタルオブジェクトを表示させる場合、前記周囲環境に対応する前記デジタルオブジェクトの表示色の明度又は彩度を、前記周囲環境に対応しない前記デジタルオブジェクトの表示色の明度又は彩度と比べて高くさせる
ことを特徴とする請求項１２に記載のリモートコントローラー。
【請求項１４】
前記制御処理部は、
前記操作履歴から想定される操作に応じた前記デジタルオブジェクトを表示させる場合、前記操作履歴に対応する前記デジタルオブジェクトの表示色の明度又は彩度を、前記操作履歴に対応しない前記デジタルオブジェクトの表示色の明度又は彩度と比べて高くさせる
ことを特徴とする請求項１２に記載のリモートコントローラー。
【請求項１５】
前記制御処理部は、
前記デジタルオブジェクトの表示形状を変更させる
ことを特徴とする請求項４又は５に記載のリモートコントローラー。
【請求項１６】
前記記憶部は、
それぞれの前記デジタルオブジェクトに対応する強調表示用画像情報と、
それぞれの前記デジタルオブジェクトに対応する通常表示用画像情報と、
を備え、
前記制御処理部は、
前記周囲環境から想定される操作に応じた前記デジタルオブジェクトを表示させる場合、前記周囲環境に対応する前記デジタルオブジェクトの表示形状を前記強調表示用画像情報に基づいて表示させ、前記周囲環境に対応しない前記デジタルオブジェクトの表示形状を前記通常表示用画像情報に基づいて表示させる
ことを特徴とする請求項１５に記載のリモートコントローラー。
【請求項１７】
前記記憶部は、
それぞれの前記デジタルオブジェクトに対応する強調表示用画像情報と、
それぞれの前記デジタルオブジェクトに対応する通常表示用画像情報と、
を備え、
前記制御処理部は、
前記操作履歴から想定される操作に応じた前記デジタルオブジェクトを表示させる場合、前記操作履歴に対応する前記デジタルオブジェクトの表示形状を前記強調表示用画像情報に基づいて表示させ、前記操作履歴に対応しない前記デジタルオブジェクトの表示形状を前記通常表示用画像情報に基づいて表示させる
ことを特徴とする請求項１５に記載のリモートコントローラー。
【請求項１８】
前記デジタルオブジェクトは、デジタル画像で表示されたボタンで構成された
ことを特徴とする請求項１〜１７の何れか一項に記載のリモートコントローラー。
【発明の詳細な説明】
【技術分野】
【０００１】
本発明は、リモートコントローラーに関する。
【背景技術】
【０００２】
従来、省電力モードに移行した場合、不要な表示内容を非表示にするリモートコントローラーがあった（例えば、特許文献１参照）。
【先行技術文献】
【特許文献】
【０００３】
【特許文献１】特開２００６−０２９６３４号公報（段落［００９２］）
【発明の概要】
【発明が解決しようとする課題】
【０００４】
特許文献１に記載の従来技術は、省電力を目的としているため、ユーザの使いやすさを目的としてユーザインターフェースが構成されていなかった。よって、特許文献１に記載の従来技術は、使用環境とは異なるユーザインターフェースが表示される場合があった。したがって、特許文献１に記載の従来技術は、使用環境に応じて、最適なユーザインターフェースを表示していなかった。【０００５】
また、特許文献１に記載の従来技術は、省電力を目的としているため、直感的な理解のしやすさというよりも、文字情報を非表示とする動作を行うことで省電力を実現していた。よって、特許文献１に記載の従来技術は、使用環境に応じて、直感的なユーザインターフェースを表示していなかった。【０００６】
上記の説明から、特許文献１に記載のような従来技術は、使用環境に応じて、最適で直感的なユーザインターフェースを供給することができないという問題点があった。【０００７】
本発明は、上記のような問題点を解決するためになされたもので、使用環境に応じて、最適で直感的なユーザインターフェースを供給することができるリモートコントローラーを提供することを目的とするものである。
【課題を解決するための手段】
【０００８】
本発明に係るリモートコントローラーは、室外ユニットと、室内ユニットと、を備えた空気調和機を制御するリモートコントローラーであって、異なる種類のデジタルオブジェクトのデータを記憶する記憶部と、前記デジタルオブジェクトを表示させる表示部と、前記デジタルオブジェクトの操作を検知する操作入力部と、で構成されるタッチパネルディスプレイと、前記タッチパネルディスプレイを制御する制御処理部と、を備え、前記制御処理部は、それぞれの前記デジタルオブジェクトのうち、前記室内ユニットの周囲環境又は前記操作入力部の操作履歴から想定される操作に応じた前記デジタルオブジェクトを表示させるものである。
【発明の効果】
【０００９】
本発明は、周囲環境又は操作履歴から想定される操作内容に応じて、ユーザインターフェースの表示内容を構成することができる。したがって、本発明は、使用環境に応じて、最適で直感的なユーザインターフェースを供給するリモートコントローラーを提供することができるという効果を有する。
【図面の簡単な説明】
【００１０】
【図１】本発明の実施の形態１における空気調和システム１の概略構成の一例を示す図である。
【図２】本発明の実施の形態１におけるリモートコントローラー３１の概略構成の一例を示す図である。
【図３】本発明の実施の形態１におけるリモートコントローラー３１の詳細構成の一例を示す図である。
【図４】本発明の実施の形態１における通常構成状態と特殊構成状態との間の状態遷移の一例を示す図である。
【図５】本発明の実施の形態１におけるリモートコントローラー３１の動作例を説明するフローチャートである。
【図６】本発明の実施の形態１における冷房を想定した通常構成状態の場合のデジタルオブジェクト２１１の表示例を示す図である。
【図７】本発明の実施の形態１における室内温度判定指標５３０の一例を示す図である。
【図８】本発明の実施の形態２における通常構成状態と特殊構成状態との間の状態遷移の一例を示す図である。
【図９】本発明の実施の形態２におけるリモートコントローラー３１の動作例を説明するフローチャートである。
【図１０】本発明の実施の形態３における冷房運転開始時の設定内容を想定した特殊構成状態の場合のデジタルオブジェクト２５１の表示例を示す図である。
【図１１】本発明の実施の形態３における暖房運転開始時の設定内容を想定した特殊構成状態の場合のデジタルオブジェクト２６１の表示例を示す図である。
【図１２】本発明の実施の形態３における冷房運転時の設定内容を想定した特殊構成状態の場合のデジタルオブジェクト２７１の表示例を示す図である。
【図１３】本発明の実施の形態３における暖房運転時の設定内容を想定した特殊構成状態の場合のデジタルオブジェクト２８１の表示例を示す図である。
【図１４】本発明の実施の形態４における冷房運転開始時の設定内容を想定した特殊構成状態の場合のデジタルオブジェクト２９１の表示例を示す図である。
【図１５】本発明の実施の形態４における暖房運転開始時の設定内容を想定した特殊構成状態の場合のデジタルオブジェクト３１１の表示例を示す図である。
【図１６】本発明の実施の形態４における冷蔵運転時の設定内容を想定した特殊構成状態の場合のデジタルオブジェクト３２１の表示例を示す図である。
【図１７】本発明の実施の形態４における暖房運転時の設定内容を想定した特殊構成状態の場合のデジタルオブジェクト３３１の表示例を示す図である。
【図１８】本発明の実施の形態５における冷房運転開始時の設定内容を想定した特殊構成状態の場合のデジタルオブジェクト３４１の表示例を示す図である。
【図１９】本発明の実施の形態５における暖房運転開始時の設定内容を想定した特殊構成状態の場合のデジタルオブジェクト３５１の表示例を示す図である。
【図２０】本発明の実施の形態５における冷房運転時の設定内容を想定した特殊構成状態の場合のデジタルオブジェクト３６１の表示例を示す図である。
【図２１】本発明の実施の形態５における暖房運転時の設定内容を想定した特殊構成状態の場合のデジタルオブジェクト３７１の表示例を示す図である。
【図２２】本発明の実施の形態６における冷房運転開始時の設定内容を想定した特殊構成状態の場合のデジタルオブジェクト３８１の表示例を示す図である。
【図２３】本発明の実施の形態６における暖房運転開始時の設定内容を想定した特殊構成状態の場合のデジタルオブジェクト３９１の表示例を示す図である。
【図２４】本発明の実施の形態６における冷房運転時の設定内容を想定した特殊構成状態の場合のデジタルオブジェクト４１１の表示例を示す図である。
【図２５】本発明の実施の形態６における暖房運転時の設定内容を想定した特殊構成状態の場合のデジタルオブジェクト４２１の表示例を示す図である。
【発明を実施するための形態】
【００１１】
以下、本発明の実施の形態について、図面を用いて詳細に説明する。なお、本発明の実施の形態の動作を行うプログラムを記述するステップは、記載された順序に沿って時系列に行われる処理であるが、必ずしも時系列に処理されなくても、並列的又は個別に実行される処理をも含んでもよい。
【００１２】
また、本実施の形態で説明される各機能をハードウェアで実現するか、ソフトウェアで実現するかは問わない。つまり、本実施の形態で説明される各ブロック図は、ハードウェアのブロック図と考えても、ソフトウェアの機能ブロック図と考えてもよい。例えば、各ブロック図は、回路デバイス等のハードウェアで実現されてもよく、図示しないプロセッサ等の演算装置上で実行されるソフトウェアで実現されてもよい。
【００１３】
また、本実施の形態で説明されるブロック図の各ブロックは、その機能が実施されればよく、それらの各ブロックで構成が分離されなくてもよい。なお、本実施の形態１〜６のそれぞれにおいて、特に記述しない項目については実施の形態１〜６と同様とし、同一の機能及び構成については同一の符号を用いて述べることとする。また、本実施の形態１〜６のそれぞれは、単独で実施されてもよく、組み合わされて実施されてもよい。いずれの場合においても、下記で説明する有利な効果を奏することとなる。また、本実施の形態で説明する各種具体的な設定例は一例を示すだけであり、特にこれらに限定されない。
【００１４】
また、本実施の形態において、システムとは、複数の装置で構成される装置全体を表すものである。また、本実施の形態において、ネットワークとは、少なくとも２つの装置が接続され、ある装置から他の装置へ情報の伝達ができるようにした仕組みをいう。ネットワークを介して通信する装置は、独立した装置同士であってもよく、１つの装置を構成している内部ブロック同士であってもよい。また、本実施の形態において、通信とは、無線通信及び有線通信は勿論、無線通信と有線通信とが混在した通信であってもよい。例えば、ある区間では無線通信が行われ、他の空間では有線通信が行われるようなものであってもよい。また、ある装置から他の装置への通信が有線通信で行われ、他の装置からある装置への通信が無線通信で行われるようなものであってもよい。
【００１５】
実施の形態１．
（実施の形態１の構成）
図１は、本発明の実施の形態１における空気調和システム１の概略構成の一例を示す図である。図１において、本発明の実施の形態１は、周囲環境又は操作履歴から想定される操作内容に応じて、後述するユーザインターフェース２０１の表示内容を構成することで、使用環境に応じて、最適で直感的なユーザインターフェース２０１を供給する。以下、その詳細について説明する。
【００１６】
図１に示すように、空気調和システム１は、室外ユニット１１と、室内ユニット２１ａと、室内ユニット２１ｂと、室内ユニット２１ｃと、リモートコントローラー３１ａと、リモートコントローラー３１ｂと、リモートコントローラー３１ｃと、を備えている。
【００１７】
室外ユニット１１と、室内ユニット２１ａと、室内ユニット２１ｂと、室内ユニット２１ｃと、は、冷媒配管４３を介して、接続されている。室外ユニット１１と、室内ユニット２１ａと、室内ユニット２１ｂと、室内ユニット２１ｃと、は、伝送線４１を介して、接続されている。室内ユニット２１ａと、室内ユニット２１ｂと、リモートコントローラー３１ａと、は、伝送線４１を介して、接続されている。室内ユニット２１ｃと、リモートコントローラー３１ｂと、リモートコントローラー３１ｃと、は、伝送線４１を介して、接続されている。
【００１８】
室内ユニット２１ａ、室内ユニット２１ｂ、及びリモートコントローラー３１ａには、例えば、グループ＃１が設定されている。室内ユニット２１ｃ、リモートコントローラー３１ｂ、及びリモートコントローラー３１ｃには、例えば、グループ＃３が設定されている。例えば、グループ＃１では、リモートコントローラー３１ａから供給される各種信号で、室内ユニット２１ａ及び室内ユニット２１ｂの動作が制御され、それに伴って室外ユニット１１が制御される。例えば、グループ＃２では、リモートコントローラー３１ｂ又はリモートコントローラー３１ｃから供給される各種信号で、室内ユニット２１ｃの動作が制御され、それに伴って室外ユニット１１が制御される。つまり、室外ユニット１１は室内ユニット２１ａ〜室内ユニット２１ｃの何れかが動作することで連動するため、後述するように、冷凍サイクルが形成される。
【００１９】
なお、室内ユニット２１ａ、室内ユニット２１ｂ、及び室内ユニット２１ｃのそれぞれを特に区別しない場合、室内ユニット２１と称する。リモートコントローラー３１ａ、リモートコントローラー３１ｂ、及びリモートコントローラー３１ｃのそれぞれを特に区別しない場合、リモートコントローラー３１と称する。
【００２０】
なお、上記で説明した伝送線４１は、通信媒体が有線の一例であるが、特にこれに限定されない。例えば、伝送線４１は、通信媒体が無線であってもよい。通信媒体は、有線及び無線の何れであったとしても、その通信プロトコルは特に限定されない。例えば、室外ユニット１１と、室内ユニット２１と、の間で、有線又は無線の通信媒体を介して、専用の通信プロトコルで通信が行われてもよく、汎用の通信プロトコルで通信が行われてもよい。
【００２１】
例えば、室内ユニット２１と、リモートコントローラー３１と、の間で、有線又は無線の通信媒体を介して、専用の通信プロトコルで通信が行われてもよい。例えば、室内ユニット２１と、リモートコントローラー３１と、の間で、有線又は無線の通信媒体を介して、汎用の通信プロトコルで通信が行われてもよい。具体的には、室内ユニット２１と、リモートコントローラー３１と、の間で、無線の通信媒体を介して、ＲＦＣ（Ｒｅｑｕｅｓｔ  ｆｏｒ  Ｃｏｍｍｅｎｔｓ）で定義されている通信プロトコルで通信が行われてもよい。この場合、リモートコントローラー３１は、以降で説明する機能を備えているものであれば、室内ユニット２１を制御する専用の機器ではなく、例えば、スマートフォン等のアプリケーションとして仮想的に実現される仮想機器であってもよい。
【００２２】
なお、上記で説明したように、室内ユニット２１にリモートコントローラー３１から各種指令が供給された場合、供給された各種指令に応じて、室内ユニット２１は、室外ユニット１１と連携して動作する。例えば、室外ユニット１１と室内ユニット２１とが冷媒配管４３を介して接続されているため、冷媒の圧縮と膨張とを繰り返すことで冷凍サイクルが形成される。この結果、室内ユニット２１は、空調対象空間の空気を調和する。
【００２３】
具体的には、空気調和システム１は、図示しない冷媒回路を備え、冷房運転又は暖房運転で空調対象空間に空気調和された空気を供給する。空気調和システム１は、例えば、冷房運転時には冷風を供給する。空気調和システム１は、例えば、暖房運転時には温風を供給する。図示しない冷媒回路には、冷媒が充填されている。よって、充填された冷媒は、冷媒配管４３内を循環して、蒸気圧縮式の冷凍サイクルが形成される。
【００２４】
さらに具体的には、図示しない冷媒回路は、例えば、室外ユニット１１が、圧縮機、室外ユニット側熱交換器、室外ユニット側ファン、室外ユニット側膨張弁、及び四方弁（何れも図示せず）を備えている。また、例えば、図示しない冷媒回路は、室内ユニット２１が、室内ユニット側熱交換器、室内ユニット側ファン、及び室内ユニット側膨張弁（何れも図示せず）を備えている。冷媒回路は、圧縮機、四方弁、室外ユニット側熱交換器、室外ユニット側膨張弁、室内ユニット側膨張弁、及び室内ユニット側熱交換器が冷媒配管４３を介して接続されている。
【００２５】
室外ユニット１１は、外部から供給される各種指令、例えば、室内ユニット２１を介してリモートコントローラー３１から供給される各種指令に基づいて、圧縮機、四方弁、室外ユニット側熱交換器、室外ユニット側ファン、及び室外ユニット側膨張弁を制御する。
【００２６】
例えば、室外ユニット１１は、リモートコントローラー３１から供給される各種指令に基づいて圧縮機を駆動させ、圧縮機に吸入させた冷媒を圧縮させ、任意の圧力で吐出させる。室外ユニット１１は、リモートコントローラー３１から供給される各種指令に基づいて四方弁を作動させ、冷媒配管４３の経路を切り換えることで、圧縮機から吐出された高温高圧の冷媒を室外ユニット側熱交換器又は室内ユニット側熱交換器に供給し、冷房運転と、暖房運転と、を切り換える。室外ユニット１１は、室外ユニット側熱交換器を通過する冷媒と、室外ユニット側熱交換器の周囲の空気とを熱交換させる。室外ユニット１１は、リモートコントローラー３１から供給される各種指令に基づいて室外ユニット側ファンを駆動させ、室外ユニット側熱交換器に熱交換させる空気を供給し、室外ユニット側熱交換器の熱交換を促進させる。室外ユニット１１は、リモートコントローラー３１から供給される各種指令に基づいて室外ユニット側膨張弁の開度を調整し、冷媒配管４３を流通する冷媒の流量を制御する。
【００２７】
室内ユニット２１は、外部から供給される各種指令、例えば、室内ユニット２１を介してリモートコントローラー３１から供給される各種指令に基づいて、室内ユニット側熱交換器、室内ユニット側ファン、及び室内ユニット側膨張弁を制御する。例えば、室内ユニット２１は、室内ユニット側熱交換器を通過する冷媒と、室内ユニット側熱交換器の周囲の空気とを熱交換させる。室内ユニット２１は、リモートコントローラー３１から供給される各種指令に基づいて、室内ユニット側膨張弁の開度を調整し、冷媒配管４３を流通する冷媒の流量を制御する。
【００２８】
次に、室外ユニット１１及び室内ユニット２１に設定されるアドレスの一例について説明する。アドレスは、室外ユニット１１、室内ユニット２１ａ、室内ユニット２１ｂ、室内ユニット２１ｃ、リモートコントローラー３１ａ、リモートコントローラー３１ｂ、及びリモートコントローラー３１ｃのうち、ネットワーク内で１台の機器を特定させるため、機器同士でアドレスが重複しない値が設定される。
【００２９】
例えば、室外ユニット１１には、アドレスとして“０５１”が設定されている。室内ユニット２１ａには、アドレスとして“００１”が設定されている。室内ユニット２１ｂには、アドレスとして“００２”が設定されている。室内ユニット２１ｃには、アドレスとして“００３”が設定されている。リモートコントローラー３１ａには、アドレスとして“１０１”が設定されている。リモートコントローラー３１ｂには、アドレスとして“１０３”が設定されている。リモートコントローラー３１ｃには、アドレスとして“１５３”が設定されている。
【００３０】
室外ユニット１１に設定されるアドレスは、例えば、“０５１”から“１００”であるが、特にこれらに限定されない。室内ユニット２１に設定されるアドレスは、例えば、“００１”から“０５０”であるが、特にこれらに限定されない。リモートコントローラー３１に設定されるアドレスは、例えば、“１０１”から“２００”であるが、特にこれらに限定されない。
【００３１】
なお、各アドレスの設定は、例えば、図示しないロータリースイッチ等で行われればよい。また、上記で説明したアドレスの数値は一例であって、特にこれらに限定されない。また、上記で説明した室外ユニット１１の台数、室内ユニット２１の台数、及びリモートコントローラー３１の台数は一例であって、特にこれらに限定されない。例えば、室外ユニット１１が１台であり、室内ユニット２１が１台であり、リモートコントローラー３１が１台であるような空気調和システム１であってもよい。また、上記で説明したようなアドレスの設定方法は一例であって、特にこれに限定されない。
【００３２】
次に、リモートコントローラー３１の構成について図２及び図３を用いて説明する。図２は、本発明の実施の形態１におけるリモートコントローラー３１の概略構成の一例を示す図である。図３は、本発明の実施の形態１におけるリモートコントローラー３１の詳細構成の一例を示す図である。なお、図１又は図２に示す室外ユニット１１及び室内ユニット２１を備えたものが空気調和機であると想定する。
【００３３】
図２に示すように、室内ユニット２１及び室外ユニット１１は、冷媒配管４３を介して接続されている。室外ユニット１１、室内ユニット２１、及びリモートコントローラー３１のそれぞれは、伝送線４１を介して、各種信号が送受信される。室内ユニット２１及びリモートコントローラー３１は、電源線４２で接続されている。室内ユニット２１は、電源線４２を介して、リモートコントローラー３１を給電する。よって、リモートコントローラー３１は、室内ユニット２１から電力を受電することで作動する。
【００３４】
なお、伝送線４１は、上記で説明したように、室内ユニット２１と、リモートコントローラー３１との間においても有線通信が行われることを想定しているが、特にこれに限定されない。伝送線４１は、要するに、通信媒体であればよい。よって、伝送線４１は、無線媒体であってもよいため、室内ユニット２１と、リモートコントローラー３１との間において無線通信が行われてもよい。
【００３５】
なお、上記で説明した電源線４２は、有線接続を想定しているが、特にこれに限定されない。例えば、室内ユニット２１は、電力伝達媒体を空気としてもよい。この場合、室内ユニット２１がリモートコントローラー３１に電力を無線給電すればよい。すなわち、室内ユニット２１は、ワイヤレス給電を行うことで、リモートコントローラー３１に電力を供給してもよい。ワイヤレス給電の種類は特に限定されず、例えば、電磁誘導方式、共振結合方式、及び電界結合方式等が利用されればよい。
【００３６】
また、外部からリモートコントローラー３１への電力供給源として室内ユニット２１が用いられる一例について説明したが、特にこれに限定されない。図示しない外部電源供給源、例えば、商用電源からリモートコントローラー３１に直接電力が供給されてもよい。
【００３７】
また、上記の説明では、リモートコントローラー３１に外部から電力が供給される一例について説明したが、特にこれらに限定されない。例えば、リモートコントローラー３１に二次電池又は一次電池を設けることで、外部から電力が供給されない状態であっても、リモートコントローラー３１が各種機能を実行することができるようにしてもよい。なお、二次電池は、特に限定されず、例えば、リチウムイオン二次電池等であればよい。また、一次電池は、特に限定されず、例えば、リチウム電池等であればよい。
【００３８】
リモートコントローラー３１は、通信部５１、電源部５３、タッチパネルディスプレイ５５、記憶部６５、センサモジュール６７、及び制御処理部６９等を備えている。タッチパネルディスプレイ５５は、例えば、操作入力部６１及び表示部６３で構成されている。操作入力部６１は、後述するユーザインターフェース２０１として、外部からの操作内容を入力させる機器であるが、タッチパネルの動作原理でその構成が異なる。
【００３９】
例えば、タッチパネルがマトリクス・スイッチで構成されると想定する。この場合、タッチパネルは、碁盤の目のように縦横一定間隔で配列された電極で形成されたスイッチからなる面で構成されているため、上下２層に電極がそれぞれ形成されている。操作者がその面の一部を押下することで、上下２層の電極は接触する。この結果、閉回路が形成されるため、縦と横との位置情報が検出される。つまり、操作入力部６１は、上記で説明した上下２層の電力で構成される。
【００４０】
また、別の形態として、例えば、タッチパネルが抵抗膜方式で構成されると想定する。この場合、タッチパネルは、上下２層に形成される電極が透明電極である金属薄膜で構成される。金属薄膜に予め定めた抵抗を持たせ、対向する２枚の金属薄膜のうち、１枚に電圧が印加されている。この状態で、操作者がその面のうち、１枚目の面の一部を押下することで、操作した位置に応じた電圧が２枚目の面に発生する。発生した電圧が検知されれば、操作された位置は、アナログ量として検知される。つまり、操作入力部６１は、上記で説明した金属薄膜で構成される。
【００４１】
また、別の形態として、例えば、タッチパネルが表面弾性波方式で構成されると想定する。この場合、タッチパネルは、剛性の高いガラス等の基板上の複数の隅部に圧電素子が設けられて構成される。圧電素子は、その面の一部が押下されることで、振動波が発生する。このとき、例えば、操作者の指が一面に触れていれば、その触れた点は固定点となり、振動波はそこで吸収され、振動波の一部は跳ね返る。このような跳ね返りの振動波は、圧電素子の電圧の発生で検知される。よって、その一面のいろいろな箇所で反射時間が計測されれば、操作者が接触した位置情報が検知される。つまり、操作入力部６１は、上記で説明した圧電素子で構成される。
【００４２】
また、別の形態として、例えば、タッチパネルが赤外線方式で構成されると想定する。この場合、タッチパネルは、赤外線ＬＥＤを光源とし、赤外線ＬＥＤから発光された赤外光が遮断され、遮断箇所を受光素子が検知することで、操作者が接触した位置情報が検知される。つまり、操作入力部６１は、上記で説明した赤外線ＬＥＤ及び受光素子で構成される。
【００４３】
また、別の形態として、例えば、タッチパネルが静電容量方式で構成されると想定する。この場合、タッチパネルは、駆動電極と、受信電極と、受信電極を覆う誘電体とで形成され、駆動電極から電界を発生させておき、操作者の接触端部、例えば、指先と、誘電体との間の静電容量の変化が受信電極で捉えられ、操作者が接触した位置情報が検知される。つまり、操作入力部６１は、駆動電極及び受信電極で構成される。
【００４４】
また、別の形態として、例えば、タッチパネルが電磁誘導方式で構成されると想定する。この場合、タッチパネルは、磁界検出センサーが画面の下方に設けられ、電子ペン等のように磁界を発生する機器が画面に触れた箇所で電磁誘導を引き起こさせる。この結果、操作者が利用した電子ペンの接触位置が検知される。つまり、操作入力部６１は、時間検出センサーで構成される。
【００４５】
なお、上記の説明では操作入力部６１の一例について説明したが、特にこれらに限定されない。例えば、図示しない再生装置が後述するデジタルオブジェクト２１１を三次元空間上に立体映像又は立体画像として再生した場合、図示しない撮像装置が、デジタルオブジェクト２１１を操作する指等の物理的オブジェクトの位置を捉えてもよい。この場合、操作入力部６１は、図示しない撮像装置である。
【００４６】
つまり、操作入力部６１は、後述するように、ユーザが操作したものに対応する制御指令が入力されるユーザインターフェース２０１であればよく、その実施形態については特に限定されない。
【００４７】
表示部６３は、後述するユーザインターフェース２０１として、外部に表示内容を出力する機器である。表示部６３は、例えば、液晶ディスプレイである。なお、表示部６３は、液晶ディスプレイに限定されない。例えば、表示部６３は、有機ＥＬ（ｅｌｅｃｔｒｏｌｕｍｉｎｅｓｃｅｎｃｅ）ディスプレイであってもよい。この場合、後述するユーザインターフェース２０１は、有機ＥＬディスプレイと、タッチパネルと、で構成されればよい。また、例えば、表示部６３は、ホログラムとして実現される立体映像又は立体画像の再生画像であってもよい。この場合、表示部６３は、レーザー照射装置及びホログラム等で実現される再生装置と、再生画像に触れた位置を検知する撮像装置と、で構成されればよい。
【００４８】
要するに、表示部６３は、後述するように、ユーザに操作させるもの又は操作結果等を表示させるユーザインターフェース２０１であればよく、その実施形態については特に限定されない。
【００４９】
電源部５３は、供給された電力をリモートコントローラー３１内部の使用電力に変換する。例えば、交流電力が供給される場合、電源部５３は、内部で使用可能範囲内の直流電力に変換する。また、直流電力が供給される場合、電源部５３は、内部で使用可能範囲内の直流電力に変換する。また、二次電池又は一次電池で電力が供給される場合、電源部５３は、二次電池又は一次電池から安定的に電力を取得するための制御機能として構成されればよい。
【００５０】
通信部５１は、制御処理部６９から供給される各種信号を送信信号に変調処理し、その変調処理された送信信号を室内ユニット２１に伝送線４１を介して送信する。通信部５１は、室内ユニット２１から供給される各種信号を受信信号に復調処理し、その復調された受信信号を制御処理部６９に供給する。
【００５１】
記憶部６５は、例えば、書き換え可能なＲＡＭ（Ｒａｎｄｏｍ  Ａｃｃｅｓｓ  Ｍｅｍｏｒｙ）を用いて、一時的にデータを保存する。記憶部６５は、例えば、読み出しのみ可能なＲＯＭ（Ｒｅａｄ  Ｏｎｌｙ  Ｍｅｍｏｒｙ）を用いて、各種処理プログラムで構成される各種モジュール、各種パラメータ、及び後述するデジタルオブジェクト２１１等の操作内容に対応する各種データを記憶している。つまり、記憶部６５は、ＲＡＭ及びＲＯＭ等から構成されている。なお、記憶部６５に格納される各種データの詳細例については図３を用いて後述する。
【００５２】
センサモジュール６７は、例えば、リモートコントローラー３１の周囲環境を検知する。センサモジュール６７は、例えば、人感センサモジュール８１、温度センサモジュール８３、湿度センサモジュール８５、及び照度センサモジュール８７等で構成される。人感センサモジュール８１は、人の存否を検出する。温度センサモジュール８３は、室内温度を検出する。湿度センサモジュール８５は、室内湿度を検出する。照度センサモジュール８７は、室内照度を検出する。
【００５３】
なお、センサモジュール６７は、温度センサモジュール８３だけであってもよい。また、センサモジュール６７は、人感センサモジュール８１と、温度センサモジュール８３とで構成されてもよい。また、センサモジュール６７の構成の一形態として、温度センサモジュール８３及び湿度センサモジュール８５が一体的に構成されてもよい。なお、センサモジュール６７の詳細例については図３を用いて後述する。
【００５４】
制御処理部６９は、例えば、プロセッサ等で構成され、記憶部６５から各種データ等を読み出し、一定のクロックを供給する図示しない発振器の周波数に基づいて読み出した各種データ等を処理する。制御処理部６９は、操作入力部６１から供給される各種信号を処理する。制御処理部６９は、表示部６３に出力する各種信号を処理する。制御処理部６９は、センサモジュール６７から供給される各種信号を処理する。制御処理部６９は、記憶部６５に各種データを格納する。制御処理部６９は、通信部５１に各種信号を供給する。なお、制御処理部６９が各種信号を処理時に仮想的に実現される各種モジュールについては図３を用いて説明する。
【００５５】
次に、図３を用いて、制御処理部６９、記憶部６５、及びセンサモジュール６７の詳細構成例について説明する。まず、制御処理部６９の詳細構成例について説明する。図３に示すように、制御処理部６９は、各種処理の実行に応じて、稼働状態判定モジュール１０１、周囲環境判定モジュール１０２、操作履歴判定モジュール１０３、及び画像処理モジュール１０５等が仮想的に構成される。
【００５６】
稼働状態判定モジュール１０１は、通信部５１から供給される各種情報に基づいて、室内ユニット２１が稼働しているか否かを判定する。なお、稼働状態判定モジュール１０１は、記憶部６５に格納されている各種情報、例えば、後述するように稼働状態データ格納領域１８１に格納されている各種情報に基づいて、室内ユニット２１の稼働状態を判定してもよい。
【００５７】
周囲環境判定モジュール１０２は、リモートコントローラー３１の周囲環境を判定する。周囲環境判定モジュール１０２は、例えば、存否判定モジュール１１１、温度判定モジュール１１２、湿度判定モジュール１１３、及び照度判定モジュール１１４等を備えている。存否判定モジュール１１１は、人感センサモジュール８１から供給される各種信号に基づいて、リモートコントローラー３１の周囲に人が存在するか否かを判定する。
【００５８】
温度判定モジュール１１２は、温度センサモジュール８３から供給される各種信号と、予め設定された温度の閾値と、に基づいて、リモートコントローラー３１の周囲の温度を判定する。予め設定された温度の閾値は、詳細については後述するが、複数の閾値が存在し、例えば、リモートコントローラー３１が冷房運転が行われると想定するための冷房判定温度であり、リモートコントローラー３１が暖房運転が行われると想定するための暖房判定温度である。
【００５９】
湿度判定モジュール１１３は、湿度センサモジュール８５から供給される各種信号と、予め設定された湿度の閾値と、に基づいて、リモートコントローラー３１の周囲の湿度を判定する。照度センサモジュール８７は、照度センサ１６１から供給される各種信号と、予め設定された照度の閾値と、に基づいて、リモートコントローラー３１の周囲の照度を判定する。
【００６０】
要するに、周囲環境判定モジュール１０２は、センサモジュール６７の出力を利用するものであり、センサモジュール６７に設けられた各種センサに対応した判定を行う。例えば、センサモジュール６７に風速センサ又は風量センサ等が設けられれば、周囲環境判定モジュール１０２は、それらに対応した判定を行う。また、例えば、センサモジュール６７に人の脳波を測定するセンサが設けられている場合、周囲環境判定モジュール１０２には、人の脳波と、人の脳波に対応する行動パターンと、を紐付ける演算モジュールが実装されていればよい。
【００６１】
なお、周囲環境判定モジュール１０２は、センサモジュール６７から直接供給される各種信号の他に、記憶部６５に保持されている各種情報、例えば、後述するように、周囲環境データ格納領域１８２に格納されている各種情報を参照することで周囲環境を判定してもよい。
【００６２】
操作履歴判定モジュール１０３は、リモートコントローラー３１の操作履歴を判定する。操作履歴判定モジュール１０３は、例えば、運転モード判定モジュール１１６等を備えている。運転モード判定モジュール１１６は、記憶部６５に保持されている各種情報、例えば、後述するように、操作履歴データ格納領域１８４に格納されている各種情報に基づいて、過去の操作履歴を参照し、直近に操作された運転モードを判定する。
【００６３】
画像処理モジュール１０５は、デジタル画像を生成させるデータとして、表示部６３及び記憶部６５にデジタルオブジェクトデータを供給する。画像処理モジュール１０５は、記憶部６５に保持されているデジタルオブジェクトデータに基づいて、デジタルオブジェクト２１１の各種状態を判定する。例えば、画像処理モジュール１０５は、オブジェクト状態判定モジュール１１８及びオブジェクト描画モジュール１１９等で構成される。
【００６４】
オブジェクト状態判定モジュール１１８は、例えば、後述する記憶部６５に割り当てられている操作履歴データ格納領域１８４に保持されている各種情報に基づいて、デジタルオブジェクト２１１の各種状態を判定する。オブジェクト描画モジュール１１９は、例えば、後述するように、記憶部６５に割り当てられているデフォルトデータ格納領域１８３及び操作履歴データ格納領域１８４に保持されている各種情報に基づいて、デジタルオブジェクトデータを生成し、生成結果を表示部６３に供給し、表示部６３にデジタル画像を表示させる。
【００６５】
次に、記憶部６５の詳細構成例について説明する。記憶部６５には、稼働状態データ格納領域１８１、周囲環境データ格納領域１８２、デフォルトデータ格納領域１８３、及び操作履歴データ格納領域１８４等のそれぞれの記憶領域が割り当てられている。
【００６６】
稼働状態データ格納領域１８１には、例えば、通信部５１から供給される各種信号のうち、室内ユニット２１の稼働状態データが格納される。ここで、稼働状態データ格納領域１８１は、例えば、論理構成としてリングバッファで構成され。供給された各種信号を時系列で保持していき、保持する領域が無くなった場合、最初に保持し始めた領域から保持を再開させるものであってもよい。
【００６７】
周囲環境データ格納領域１８２には、例えば、センサモジュール６７から供給される各種信号又は周囲環境判定モジュール１０２から供給される各種信号が格納される。ここで、周囲環境データ格納領域１８２は、例えば、論理構成としてリングバッファで構成され、供給された各種信号を時系列で保持していき、保持する領域が無くなった場合、最初に保持し始めた領域から保持を再開させるものであってもよい。
【００６８】
例えば、人感センサモジュール８１から供給される人の存否判定結果が、人感センサモジュール８１の存否判定周期ごとに時系列で周囲環境データ格納領域１８２に格納される。人感センサモジュール８１から供給される人の存否判定結果が時系列で順次格納されていくことで、リモートコントローラー３１は、現在の検知結果に基づいて人の存否判定結果を参照することができ、直前、例えば、３０秒前の検知結果に基づいて人の存否判定結果を参照することもできる。
【００６９】
なお、人感センサモジュール８１の存否判定周期は、細かく設定されれば、直前の存否判定をさらに短い時間で判定することができる。また、人の出入りが減少する夜間等において、人が出入りする頻度が下がると想定した場合には、人感センサモジュール８１の存否判定周期が大きめに設定されてもよい。
【００７０】
デフォルトデータ格納領域１８３には、例えば、デフォルト設定のデジタルオブジェクトデータが格納されている。デジタルオブジェクトデータは、例えば、オブジェクト形状データ、オブジェクト位置データ、オブジェクトサイズデータ、オブジェクト種別データ、及びオブジェクト色空間データ等で構成される。
【００７１】
オブジェクト形状データは、例えば、デジタルオブジェクトデータを表示部６３を介して表示させる形状を特定する各種情報が設定されている。具体的には、オブジェクト形状データは、通常表示用画像情報に関するデータ及び強調表示用画像情報に関するデータを含んでいる。
【００７２】
オブジェクト位置データは、例えば、デジタルオブジェクトデータを表示部６３を介して表示させるときの位置を特定する各種情報が設定されている。オブジェクトサイズデータは、例えば、デジタルオブジェクトデータを表示部６３を介して表示させるときのサイズを特定する各種情報が設定されている。オブジェクト種別データは、例えば、デジタルオブジェクトデータの種別を特定する各種情報が設定されている。
【００７３】
オブジェクト色空間データは、例えば、デジタルオブジェクトデータを表示部６３を介して表示させる色を特定する各種情報が設定されている。具体的には、オブジェクト色空間データは、色相データ、彩度データ、明度データ、及び輝度データで構成されている。このうち、明度データ及び輝度データは、デジタルオブジェクトデータの色を生成するアルゴリズムに応じて選択される。例えば、ＨＳＶ（Ｈｕｅ  Ｓａｔｕｒａｔｉｏｎ  Ｖａｌｕｅ）色空間が色生成に用いられる場合、色相データ、彩度データ、及び明度データが適用される。また、例えば、ＨＬＳ（Ｈｕｅ  Ｓａｔｕｒａｔｉｏｎ  Ｌｉｇｈｔｎｅｓｓ）色空間が色生成に用いられる場合、色相データ、彩度データ、及び輝度データが適用される。
【００７４】
なお、上記で説明したデジタルオブジェクトデータは一例であって、特にこれらに限定されない。また、上記で説明したデジタルオブジェクトデータは、例えば、オブジェクト種別データごとに、オブジェクト形状データ、オブジェクト位置データ、オブジェクトサイズデータ、及びオブジェクト色空間データ等のそれぞれが紐付けされていてもよい。また、オブジェクト形状データ、オブジェクト位置データ、オブジェクトサイズデータ、オブジェクト種別データ、及びオブジェクト色空間データ等のそれぞれが互いに紐付けされ、互いに参照できる論理構成となっていてもよい。
【００７５】
操作履歴データ格納領域１８４には、例えば、運転モードデータ、運転モード関連データ、及びデジタルオブジェクトデータ等が格納されている。運転モードデータは、例えば、操作入力部６１で操作されたデジタルオブジェクト２１１等のうち、運転モードに対応するものであって、指定された運転モードに関するデータである。運転モード関連データは、例えば、指定された運転モードに関連する各種データである。例えば、運転モードとして冷房運転が指定されている場合、運転モード関連データは、冷房運転時の設定内容に対応する各種データである。同様に、運転モードとして暖房運転が指定されている場合、運転モード関連データは、暖房運転時の設定内容に対応する各種データである。
【００７６】
操作履歴データ格納領域１８４に格納されるデジタルオブジェクトデータは、オブジェクト状態データ、オブジェクト形状データ、オブジェクト位置データ、オブジェクトサイズデータ、オブジェクト種別データ、及びオブジェクト色空間データ等で構成される。オブジェクト状態データは、例えば、デジタルオブジェクトデータの各種描画履歴が時系列で保持される。オブジェクト形状データ、オブジェクト位置データ、オブジェクトサイズデータ、オブジェクト種別データ、及びオブジェクト色空間データは、上記で説明したものと同様のデータであって、直近の状態が保持される。なお、上記で説明した操作履歴データは一例であって、特にこれらに限定されない。
【００７７】
次に、センサモジュール６７の詳細構成例について説明する。人感センサモジュール８１は、焦電型赤外線センサ１３１、信号処理部１３２、及び人検知部１３３を備えている。焦電型赤外線センサ１３１は、例えば、フレネルレンズと、焦電素子と、接合型電界効果トランジスタと、で構成される。焦電型赤外線センサ１３１は、フレネルレンズで集光させた赤外線を焦電素子に供給させ、焦電素子の出力に応じて接合型電界効果トランジスタのゲート電圧を変動させることで、接合型電界効果トランジスタの出力電圧を変動させ、そのように変動させた出力電圧を焦電型赤外線センサ１３１の出力として信号処理部１３２に供給する。
【００７８】
なお、焦電素子の個数は特に限定されない。例えば、焦電型赤外線センサ１３１は、１個の焦電素子が設けられてもよい。また、例えば、焦電型赤外線センサ１３１は、複数個の焦電素子が配列されて構成されてもよい。
【００７９】
信号処理部１３２は、ＬＰＦ（Ｌｏｗ  Ｐａｓｓ  Ｆｉｌｔｅｒ）、増幅器、及びＡ／Ｄ変換器で構成され、焦電型赤外線センサ１３１から供給された出力電圧のノイズを低減させてデジタル信号に変換し、人検知部１３３に供給する。ＬＰＦは、例えば、焦電型赤外線センサ１３１の微小な出力電圧から電源ノイズ等を除去し、アナログ信号として増幅器に供給する。増幅器は、アナログ信号を増幅し、Ａ／Ｄ変換器に供給する。Ａ／Ｄ変換器は、増幅されたアナログ信号を予め設定されたサンプリング周期でデジタル信号に変換し、人検知部１３３に供給する。人検知部１３３は、閾値設定部及び比較部で構成される。人検知部１３３は、閾値設定部で設定された閾値をデジタル信号が超えているか否かを比較部で比較し、比較結果を制御処理部６９に供給する。
【００８０】
温度センサモジュール８３は、温度センサ１４１及び信号処理部１４２を備えている。温度センサ１４１は、例えば、複数のサーミスタで構成される。温度センサ１４１は、温度変化で抵抗値が変動し、その抵抗値の変動をアナログ信号として信号処理部１４２に供給する。信号処理部１４２は、ＬＰＦ、増幅器、及びＡ／Ｄ変換器で構成される。ＬＰＦは、温度センサ１４１から供給されたアナログ信号のノイズ成分を除去し、増幅器に供給する。増幅器は、アナログ信号を増幅し、Ａ／Ｄ変換器に供給する。Ａ／Ｄ変換器は、増幅されたアナログ信号を予め設定されたサンプリング周期でデジタル信号に変換し、制御処理部６９に供給する。
【００８１】
湿度センサモジュール８５は、湿度センサ１５１及び信号処理部１５２を備えている。湿度センサ１５１は、例えば、上部電極と、下部電極と、高分子感湿材とを備えた静電容量式のセンサの複数組で構成される。湿度センサ１５１は、湿度変化に伴い、上部電極と下部電極との間に設けられた高分子感湿材の静電容量が変動し、その静電容量の変動をアナログ信号として信号処理部１５２に供給する。信号処理部１５２は、ＬＰＦ、増幅器、及びＡ／Ｄ変換器で構成される。ＬＰＦは、湿度センサ１５１から供給されたアナログ信号のノイズ成分を除去し、増幅器に供給する。増幅器は、アナログ信号を増幅し、Ａ／Ｄ変換器に供給する。Ａ／Ｄ変換器は、増幅されたアナログ信号を予め設定されたサンプリング周期でデジタル信号に変換し、制御処理部６９に供給する。
【００８２】
照度センサモジュール８７は、照度センサ１６１及び信号処理部１６２を備えている。照度センサ１６１は、例えば、複数のフォトダイオードで構成される。照度センサ１６１は、その複数のフォトダイオードの検出結果をアナログ信号として信号処理部１６２に供給する。信号処理部１６２は、ＬＰＦ、増幅器、及びＡ／Ｄ変換器で構成される。ＬＰＦは、照度センサ１６１から供給されたアナログ信号のノイズ成分を除去し、増幅器に供給する。増幅器は、アナログ信号を増幅器し、Ａ／Ｄ変換器に供給する。Ａ／Ｄ変換器は、増幅されたアナログ信号を予め設定されたサンプリング周期でデジタル信号に変換し、制御処理部６９に供給する。
【００８３】
なお、上記で説明した各種構成は一例であって、特にこれらに限定されない。例えば、制御処理部６９は、各種演算を実行すればよく、その機能構成は特に限定されない。また、例えば、記憶部６５で割り当てられている各種領域は一例であり、制御処理部６９がデータの取得先とデータの格納先とを参照することができればよい。また、センサモジュール６７は、上記で説明した構成と比べて簡易な構成であってもよい。
【００８４】
具体的には、人感センサモジュール８１は、焦電型赤外線センサ１３１だけで構成され、他の構成はなくてもよい。この場合、信号処理部１３２に相当する処理は、別途、センサモジュール６７と、制御処理部６９との間に、インターフェースが設けられていればよい。人検知部１３３に相当する処理は、制御処理部６９で実行されればよい。同様に、温度センサモジュール８３は、温度センサ１４１だけで構成され、湿度センサモジュール８５は、湿度センサ１５１だけで構成され、照度センサモジュール８７は、照度センサ１６１だけで構成されてもよい。
【００８５】
（実施の形態１の動作）
次に、リモートコントローラー３１の表示部６３で表示されるデジタルオブジェクト２１１等の構成状態の遷移について説明する。図４は、本発明の実施の形態１における通常構成状態と特殊構成状態との間の状態遷移の一例を示す図である。図４に示すように、デジタルオブジェクト２１１等は、通常構成状態と、特殊構成状態と、が想定されている。通常構成状態は、デフォルト設定でデジタルオブジェクトデータが描画された場合の構成である。特殊構成状態は、周囲環境又は操作履歴から想定される操作内容に応じて、ユーザインターフェース２０１の表示内容が描画された場合の構成である。例えば、次に説明する状態遷移が行われる。
【００８６】
（通常構成状態）
制御処理部６９は、特殊構成モード指令が無い場合（ステップＳ１１）、通常構成状態を維持させる。制御処理部６９は、特殊構成モード指令が有る場合（ステップＳ１２）、特殊構成状態に遷移させる。
【００８７】
（特殊構成状態）
制御処理部６９は、予め設定された時間が未経過である場合（ステップＳ１３）、特殊構成状態を維持させる。また、制御処理部６９は、特殊構成表示指令が有る場合（ステップＳ１３）、特殊構成状態を維持させる。制御処理部６９は、予め設定された時間が経過済みである場合（ステップＳ１４）、通常構成状態に遷移させる。また、制御処理部６９は、特殊構成表示指令が無い場合（ステップＳ１４）、通常構成状態に遷移させる。
【００８８】
次に、以上で説明した状態遷移を前提として、デジタルオブジェクト表示処理の動作例について説明する。図５は、本発明の実施の形態１におけるリモートコントローラー３１の動作例を説明するフローチャートである。
【００８９】
なお、ステップＳ２３〜ステップＳ２５の処理は、温度判定処理であって、周囲環境に応じてデジタルオブジェクト２１１等が表示される処理である。また、ステップＳ２７〜ステップＳ２９の処理は、操作履歴判定処理であって、操作履歴に応じてデジタルオブジェクト２１１等が表示される処理である。つまり、図５を用いて説明する動作は、周囲環境又は操作履歴に応じたデジタルオブジェクト２１１等が表示される処理である。なお、周囲環境又は操作履歴に応じた処理に移行するトリガとして、例えば、特殊構成モード指令の有無及び室内ユニット２１の稼働状況が利用されている。
【００９０】
（ステップＳ２１）
リモートコントローラー３１は、特殊構成モード指令が有るか否かを判定する。リモートコントローラー３１は、特殊構成モード指令が有る場合、ステップＳ２２に進む。一方、リモートコントローラー３１は、特殊構成モード指令が無い場合、ステップＳ２１に戻る。
【００９１】
ここで、特殊構成モード指令は、例えば、スマートフォン等の外部に存在する端末から送信される指令であってもよい。例えば、ユーザが午後７時から空気調和を行わせたいと想定する。この場合、ユーザがスマートフォン等からリモートコントローラー３１に特殊構成モード指令を供給することで、ユーザは、リモートコントローラー３１が設けられた部屋に入室後、特殊構成モードで表示されているデジタルオブジェクト２１１等を操作することができる。なお、スマートフォン等にリモートコントローラー３１の仮想環境を実現するアプリケーションがインストールされていれば、リモートコントローラー３１に表示されると想定されるデジタルオブジェクト２１１等をスマートフォン等で表示させることもできる。
【００９２】
また、例えば、特殊構成モード指令は、予め設定された各種時刻情報等から特殊構成モードが指令されてもよい。例えば、予め設定された人の行動履歴又は人のスケジュール等に基づいて、リモートコントローラー３１が特殊構成モードに移行してもよい。具体的には、午前９時からユーザが空気調和される部屋を利用することが人の行動履歴又は人のスケジュール等から判断された場合、リモートコントローラー３１は、午前９時に特殊構成モードに移行してもよい。
【００９３】
また、例えば、特殊構成モード指令は、人の存否判定結果に応じたものであってもよい。例えば、リモートコントローラー３１は、人の存否判定結果が不在から在室となったタイミングで特殊構成モード指令が有る状態に移行してもよい。なお、このような人の存否判定結果を用いる場合については、実施の形態２として図８及び図９を用いて後述する。
【００９４】
（ステップＳ２２）
リモートコントローラー３１は、室内ユニット２１が稼働しているか否かを判定する。リモートコントローラー３１は、室内ユニット２１が稼働していない場合、ステップＳ２３に進む。一方、リモートコントローラー３１は、室内ユニット２１が稼働している場合、ステップＳ２７に進む。
【００９５】
ここで、室内ユニット２１の稼働していない状態とは、室内ユニット２１への電源が遮断されている状態だけでなく、室内ユニット２１が運転を待機している状態を含む。例えば、室内ユニット２１及び室外ユニット１１で冷媒寝込み運転を行っていてもよい。一方、室内ユニット２１が稼働している状態とは、室内ユニット２１の稼働に伴い室外ユニット１１が稼働することで、室内ユニット２１及び室外ユニット１１で冷凍サイクルが形成されている状態であって、空気調和が実施されている状態を意味すると想定する。
【００９６】
（ステップＳ２３）
リモートコントローラー３１は、室内温度が何れであるかを判定する。リモートコントローラー３１は、室内温度が暖房判定温度以上冷房判定温度以下である場合、ステップＳ３０に進む。リモートコントローラー３１は、室内温度が暖房判定温度未満である場合、ステップＳ２４に進む。リモートコントローラー３１は、室内温度が冷房判定温度と比べて大きい場合、ステップＳ２５に進む。
【００９７】
（ステップＳ２４）
リモートコントローラー３１は、暖房運転開始時の設定内容に対応するデジタルオブジェクト２１１を表示し、ステップＳ２６に移行する。
【００９８】
（ステップＳ２５）
リモートコントローラー３１は、冷房運転開始時の設定内容に対応するデジタルオブジェクト２１１を表示し、ステップＳ２６に移行する。
【００９９】
（ステップＳ２６）
リモートコントローラー３１は、予め設定された時間が経過したか否かを判定する。リモートコントローラー３１は、予め設定された時間が経過した場合、処理を終了する。一方、リモートコントローラー３１は、予め設定された時間が経過しない場合、ステップＳ２２に戻る。なお、ここで、予め設定された時間とは、例えば、５分間であるが、特にこれに限定されない。つまり、ユーザがリモートコントローラー３１を使用すると想定される時間が経過した場合、リモートコントローラー３１は、特殊構成モードから通常構成モードに移行すればよい。
【０１００】
（ステップＳ２７）
リモートコントローラー３１は、運転モードが何れであるかを判定する。リモートコントローラー３１は、運転モードが冷房かつ暖房以外である場合、ステップＳ３０に進む。リモートコントローラー３１は、運転モードが暖房である場合、ステップＳ２８に進む。リモートコントローラー３１は、運転モードが冷房である場合、ステップＳ２９に進む。
【０１０１】
（ステップＳ２８）
リモートコントローラー３１は、暖房運転時の設定内容に対応するデジタルオブジェクト２１１を表示し、ステップＳ２６に移行する。
【０１０２】
（ステップＳ２９）
リモートコントローラー３１は、冷房運転時の設定内容に対応するデジタルオブジェクト２１１を表示し、ステップＳ２６に移行する。
【０１０３】
（ステップＳ３０）
リモートコントローラー３１は、通常構成に対応するデジタルオブジェクト２１１を表示し、ステップＳ２６に移行する。
【０１０４】
次に、上記で説明した動作例を参照し、リモートコントローラー３１の操作例について説明する。図６は、本発明の実施の形態１における冷房を想定した通常構成状態の場合のデジタルオブジェクト２１１の表示例を示す図である。リモートコントローラー３１は、デジタルオブジェクト２１１をユーザインターフェース２０１として表示させる。よって、ユーザインターフェース２０１に表示されているデジタルオブジェクト２１１が操作された場合、指定されたデジタルオブジェクト２１１に対応する操作が実行される。ここで、ユーザインターフェース２０１は、例えば、表示部６３として機能する液晶ディスプレイと、操作入力部６１として機能するタッチパネルと、で構成される。
【０１０５】
ここで、デジタルオブジェクト２１１は、デジタルオブジェクト２１１ａ〜デジタルオブジェクト２１１ｇの何れか１つを指すものとする。デジタルオブジェクト２１１ａは、例えば、下三角ボタンとして描画され、押下等の操作がされることで設定温度を下げる制御指令が制御処理部６９に供給される。デジタルオブジェクト２１１ｂは、例えば、上三角ボタンとして描画され、押下等の操作がされることで設定温度を上げる制御指令が制御処理部６９に供給される。
【０１０６】
デジタルオブジェクト２１１ｃは、例えば、左向きボタンとして描画され、押下等の操作がされることで画面左側に隠蔽されている仮想画像を呼び出す制御指令が制御処理部６９に供給される。デジタルオブジェクト２１１ｄは、例えば、“運転”という文字が表記されたボタンとして描画され、押下等の操作がされることで運転を行う制御指令が制御処理部６９に供給される。デジタルオブジェクト２１１ｅは、例えば、“冷房モード”という文字が表記されたボタンとして描画され、押下等の操作がされることで冷房モードに対応する設定内容を表示させる制御指令が制御処理部６９に供給される。
【０１０７】
デジタルオブジェクト２１１ｆは、例えば、“メニュー”という文字が表記されたボタンとして描画され、押下等の操作がされることでメニューに対応する設定内容を表示させる制御指令が制御処理部６９に供給される。デジタルオブジェクト２１１ｇは、例えば、右向きボタンとして描画され、押下等の操作がされることで画面右側に隠蔽されている仮想画像を呼び出す制御指令が制御処理部６９に供給される。
【０１０８】
なお、上記で説明した表示構成は一例であって、特にこれに限定されない。例えば、デジタルオブジェクト２１１として描画されるボタンの数、ボタンの大きさ、ボタンの色、及びボタンの位置等は一定である必要はなく、状況に応じて適宜変更される。例えば、上記で説明したように、制御処理部６９が表示部６３に暖房運転開始時の設定内容に対応するデジタルオブジェクト２１１を表示させる場合、制御処理部６９は、図６に示す表示例から暖房運転開始時の設定内容へ変更させるため、暖房運転開始時の設定内容に対応するデジタルオブジェクト２１１を表示部６３に再描画させる。また、例えば、上記で説明したように、制御処理部６９が表示部６３に冷房運転開始時の設定内容に対応するデジタルオブジェクト２１１を表示させる場合、制御処理部６９は、図６に示す表示例から冷房運転開始時の設定内容へ変更させるため、冷房運転開始時の設定内容に対応するデジタルオブジェクト２１１を表示部６３に再描画させる。
【０１０９】
また、例えば、上記で説明したように、制御処理部６９が表示部６３に暖房運転時の設定内容に対応するデジタルオブジェクト２１１を表示させる場合、制御処理部６９は、図６に示す表示例から暖房運転時の設定内容へ変更させるため、暖房運転時の設定内容に対応するデジタルオブジェクト２１１を表示部６３に再描画させる。また、例えば、上記で説明したように、制御処理部６９が表示部６３に冷房運転時の設定内容に対応するデジタルオブジェクト２１１を表示させる場合、制御処理部６９は、図６に示す表示例から冷房運転時の設定内容へ変更させるため、冷房運転時の設定内容に対応するデジタルオブジェクト２１１を表示部６３に再描画させる。
【０１１０】
次に、上記で図５を用いて説明した温度判定処理の詳細について図７で説明する。図７は、本発明の実施の形態１における室内温度判定指標５３０の一例を示す図である。図７に示すように、室内温度判定指標５３０は、室内温度を判定する指標である。室内温度判定指標５３０は、例えば、冷房判定温度と、暖房判定温度と、が設定されることで、室内温度の判定に用いられる温度範囲が、第１温度領域、第２温度領域、及び第３温度領域にそれぞれ区切られている。第１温度領域は、例えば、冷房モード運転開始に対応するデジタルオブジェクト２１１を表示させる温度範囲が紐付けされている。第２温度領域は、例えば、現在表示されているデジタルオブジェクト２１１を維持させる温度範囲が紐付けされている。第３温度領域は、例えば、暖房モード運転開始に対応するデジタルオブジェクト２１１を表示させる温度範囲が紐付けされている。
【０１１１】
次に、冷房判定温度及び暖房判定温度について説明する。まず、冷房判定温度は、例えば、運転モードが冷房モード時にユーザインターフェース２０１を介して設定された冷房設定温度である。なお、冷房判定温度は、スマートフォン等から送信された冷房設定温度であってもよい。また、冷房判定温度は、運転スケジュール等で予め設定された冷房設定温度であってもよい。次に、暖房判定温度は、例えば、運転モードが暖房モード時にユーザインターフェース２０１を介して設定された暖房設定温度である。なお、暖房判定温度は、スマートフォン等から送信された暖房設定温度であってもよい。また、暖房判定温度は、運転スケジュール等で予め設定された暖房設定温度であってもよい。
【０１１２】
次に、室内温度と、冷房判定温度又は暖房判定温度と、の比較例について説明する。例えば、室内温度判定例５３１ａの場合、室内温度は、冷房判定温度を超えているため、第１温度領域に属している。この場合、室内温度が冷房モード運転開始に対応するデジタルオブジェクト２１１を表示させる温度範囲にあるため、リモートコントローラー３１は、冷房運転開始時の設定内容に対応するデジタルオブジェクト２１１を表示する。また、室内温度判定例５３１ｂの場合、室内温度は、暖房判定温度未満であるため、第３温度領域に属している。この場合、室内温度が暖房モード運転開始に対応するデジタルオブジェクト２１１を表示させる温度範囲にあるため、リモートコントローラー３１は、暖房運転開始時の設定内容に対応するデジタルオブジェクト２１１を表示する。また、室内温度判定例５３１ｃの場合、室内温度は、冷房判定温度と、暖房判定温度と、の間にあるため、第２温度領域に属している。この場合、室内温度が現在表示されているデジタルオブジェクト２１１を維持させる温度範囲にあるため、リモートコントローラー３１は、通常構成に対応するデジタルオブジェクト２１１を表示する。
【０１１３】
なお、冷房判定温度は、暖房判定温度未満であってもよい。また、暖房判定温度は、冷房判定温度を超えていてもよい。冷房判定温度及び暖房判定温度の何れか一方だけが設定されていてもよい。
【０１１４】
なお、上記の説明では、リモートコントローラー３１は、運転モードの操作履歴で室内ユニット２１の稼働状態が冷房及び暖房の何れかであるかを判定したが、特にこれに限定されない。例えば、リモートコントローラー３１は、運転モード以外の操作履歴で室内ユニット２１の稼働状態が冷房及び暖房の何れかであるかを判定してもよい。具体的には、リモートコントローラー３１は、直近に入力された設定温度が第１温度領域に属している場合、室内ユニット２１は冷房運転を実施していると判定し、ステップＳ２９に移行してもよい。同様に、リモートコントローラー３１は、直近に入力された設定温度が第３温度領域に属している場合、室内ユニット２１は暖房運転を実施していると判定し、ステップＳ２８に移行してもよい。同様に、リモートコントローラー３１は、直近に入力された設定温度が第２温度領域に属している場合、室内ユニット２１は冷房運転及び暖房運転以外を実施していると判定し、ステップＳ３０に移行してもよい。
【０１１５】
なお、上記の説明では、室内温度に基づいた動作であったが、特にこれに限定されない。例えば、室内湿度に基づいた動作であってもよい。この場合、室内湿度と、予め設定された湿度閾値とで比較処理が実施されればよい。また、例えば、室内照度に基づいた動作であってもよい。この場合、室内照度と、予め設定された照度閾値とで比較処理が実施されればよい。また、リモートコントローラー３１周囲の撮像結果に応じた動作であってもよい。例えば、撮像結果から複数の人を検知した場合、人の画像を認識するアルゴリズム等で人数と人の服装とを求め、求めた人数が閾値以上であって、人の服装が夏季のものである場合、リモートコントローラー３１は、冷房モード運転開始に対応するデジタルオブジェクト２１１を表示すればよい。同様に、撮像結果から複数の人を検知した場合、人の画像を認識するアルゴリズム等で人数と人の服装とを求め、求めた人数が閾値以上であって、人の服装が冬季のものである場合、リモートコントローラー３１は、暖房モード運転開始に対応するデジタルオブジェクト２１１を表示すればよい。
【０１１６】
（実施の形態１の効果）
以上の説明から、リモートコントローラー３１は、室内ユニット２１が稼働していない場合、室内温度等の周囲環境を判定し、判定結果から想定される操作内容に応じて、ユーザインターフェース２０１の表示内容を構成する。また、リモートコントローラー３１は、室内ユニット２１が稼働している場合、運転モード等の操作履歴を判定し、判定結果から想定される操作内容に応じて、ユーザインターフェース２０１の表示内容を構成する。したがって、周囲環境又は操作履歴から想定される操作内容に応じて、ユーザインターフェース２０１の表示内容を構成することで、使用環境に応じて、最適で直感的なユーザインターフェース２０１を供給することができる。
【０１１７】
以上、本実施の形態１において、室外ユニット１１と、室内ユニット２１と、を備えた空気調和機を制御するリモートコントローラー３１であって、異なる種類のデジタルオブジェクト２１１のデータを記憶する記憶部６５と、デジタルオブジェクト２１１を表示させる表示部６３と、デジタルオブジェクト２１１の操作を検知する操作入力部６１と、で構成されるタッチパネルディスプレイ５５と、タッチパネルディスプレイ５５を制御する制御処理部６９と、を備え、制御処理部６９は、それぞれのデジタルオブジェクト２１１のうち、室内ユニット２１の周囲環境又は操作入力部６１の操作履歴から想定される操作に応じたデジタルオブジェクト２１１を表示させるリモートコントローラー３１が構成される。
【０１１８】
上記構成で、周囲環境又は操作履歴から想定される操作内容に応じて、ユーザインターフェース２０１の表示内容を構成することで、使用環境に応じて、最適で直感的なユーザインターフェース２０１を供給することができる。
【０１１９】
また、本実施の形態１において、制御処理部６９は、室外ユニット１１及び室内ユニット２１が稼働している場合、操作履歴から想定される操作に応じたデジタルオブジェクト２１１を表示させ、室外ユニット１１及び室内ユニット２１が稼働していない場合、周囲環境から想定される操作に応じたデジタルオブジェクト２１１を表示させる。
【０１２０】
また、本実施の形態１において、デジタルオブジェクト２１１は、デジタル画像で表示されたボタンで構成されたものである。
【０１２１】
上記構成で、特に顕著に、使用環境に応じて、最適で直感的なユーザインターフェース２０１を供給することができる。
【０１２２】
実施の形態２．
（他の実施の形態との相違点）
実施の形態１との相違点は、室内ユニット２１の稼働状態の判定処理の前工程の処理が、人の存否判定結果に基づいた動作である点にある。図８は、本発明の実施の形態２における通常構成状態と特殊構成状態との間の状態遷移の一例を示す図である。
【０１２３】
（実施の形態２の動作）
図８に示すように、デジタルオブジェクト２１１等は、通常構成状態と、特殊構成状態と、が想定されている。通常構成状態は、デフォルト設定でデジタルオブジェクトデータが描画された場合の構成である。特殊構成状態は、周囲環境又は操作履歴から想定される操作内容に応じて、ユーザインターフェース２０１の表示内容が描画された場合の構成である。例えば、次に説明する状態遷移が行われる。
【０１２４】
（通常構成状態）
制御処理部６９は、人の不在が検知された場合（ステップＳ４１）、通常構成状態を維持させる。制御処理部６９は、人の在室が検知された場合（ステップＳ４２）、特殊構成状態に遷移させる。
【０１２５】
（特殊構成状態）
制御処理部６９は、予め設定された時間が未経過である場合（ステップＳ４３）、特殊構成状態を維持させる。制御処理部６９は、予め設定された時間が経過済みである場合（ステップＳ４４）、通常構成状態に遷移させる。
【０１２６】
次に、以上で説明した状態遷移を前提として、デジタルオブジェクト表示処理の動作例について説明する。図９は、本発明の実施の形態２におけるリモートコントローラー３１の動作例を説明するフローチャートである。
【０１２７】
なお、ステップＳ５４〜ステップＳ５６の処理は、温度判定処理であって、周囲環境に応じてデジタルオブジェクト２１１が表示される処理である。また、ステップＳ５８〜ステップＳ６０の処理は、操作履歴判定処理であって、操作履歴に応じてデジタルオブジェクト２１１が表示される処理である。つまり、図９を用いて説明する動作は、周囲環境又は操作履歴に応じたデジタルオブジェクト２１１が表示される処理である。ただし、周囲環境又は操作履歴に応じた処理に移行するトリガとして、例えば、人の存否判定結果及び室内ユニット２１の稼働状況が利用されている。
【０１２８】
（ステップＳ５１）
リモートコントローラー３１は、現在の存否判定結果が在室状態であるか否かを判定する。リモートコントローラー３１は、現在の存否判定結果が在室状態である場合、ステップＳ５２に進む。一方、リモートコントローラー３１は、現在の存否判定結果が在室状態でない場合、ステップＳ５１に戻る。
【０１２９】
（ステップＳ５２）
リモートコントローラー３１は、直前の存否判定結果が不在状態である場合、ステップＳ５３に進む。一方、リモートコントローラー３１は、直前の存否判定結果が不在状態でない場合、ステップＳ６１に進む。
【０１３０】
例えば、リモートコントローラー３１は、ステップＳ５１で現在の人の存否判定結果を求め、ステップＳ５２で直前の人の存否判定結果として、３０秒前の人の存否状態を判定することで、長時間在室状態であったのか、又は今在室になったのかを判定する。具体的には、リモートコントローラー３１は、現在在室であって、直前も在室であれば、長時間在室の状態にあったと判断し、室内ユニット２１の稼働状態の判定処理に移行しない。一方、リモートコントローラー３１は、現在在室であって、直前が不在であれば、今在室になった、つまり、不在の部屋に人が入室したと判断し、室内ユニット２１の稼働状態の判定処理に移行する。なお、直前の時間が３０秒前というのは一例であって、特にこれに限定されない。例えば、直前の時間が１０秒前であってもよい。
【０１３１】
（ステップＳ５３）
リモートコントローラー３１は、室内ユニット２１が稼働しているか否かを判定する。リモートコントローラー３１は、室内ユニット２１が稼働していない場合、ステップＳ５４に進む。一方、リモートコントローラー３１は、室内ユニット２１が稼働している場合、ステップＳ５８に進む。
【０１３２】
ここで、室内ユニット２１の稼働していない状態とは、室内ユニット２１への電源が遮断されている状態だけでなく、室内ユニット２１が運転を待機している状態を含む。例えば、室内ユニット２１及び室外ユニット１１で冷媒寝込み運転を行っていてもよい。一方、室内ユニット２１が稼働している状態とは、室内ユニット２１の稼働に伴い室外ユニット１１が稼働することで、室内ユニット２１及び室外ユニット１１で冷凍サイクルが形成されている状態であって、空気調和が実施されている状態を意味すると想定する。
【０１３３】
（ステップＳ５４）
リモートコントローラー３１は、室内温度が何れであるかを判定する。リモートコントローラー３１は、室内温度が暖房判定温度以上冷房判定温度以下である場合、ステップＳ６１に進む。リモートコントローラー３１は、室内温度が暖房判定温度未満である場合、ステップＳ５５に進む。リモートコントローラー３１は、室内温度が冷房判定温度と比べて大きい場合、ステップＳ５６に進む。
【０１３４】
（ステップＳ５５）
リモートコントローラー３１は、暖房運転開始時の設定内容に対応するデジタルオブジェクト２１１を表示し、ステップＳ５７に移行する。
【０１３５】
（ステップＳ５６）
リモートコントローラー３１は、冷房運転開始時の設定内容に対応するデジタルオブジェクト２１１を表示し、ステップＳ５７に移行する。
【０１３６】
（ステップＳ５７）
リモートコントローラー３１は、予め設定された時間が経過したか否かを判定する。リモートコントローラー３１は、予め設定された時間が経過した場合、処理を終了する。一方、リモートコントローラー３１は、予め設定された時間が経過しない場合、ステップＳ５３に戻る。
【０１３７】
なお、ここで、予め設定された時間とは、例えば、５分間であるが、特にこれに限定されない。つまり、ユーザがリモートコントローラー３１を使用すると想定される時間が経過した場合、リモートコントローラー３１は、特殊構成モードから通常構成モードに移行すればよい。
【０１３８】
（ステップＳ５８）
リモートコントローラー３１は、運転モードが何れであるかを判定する。リモートコントローラー３１は、運転モードが冷房かつ暖房以外である場合、ステップＳ６１に進む。リモートコントローラー３１は、運転モードが暖房である場合、ステップＳ５９に進む。リモートコントローラー３１は、運転モードが冷房である場合、ステップＳ６０に進む。
【０１３９】
（ステップＳ５９）
リモートコントローラー３１は、暖房運転時の設定内容に対応するデジタルオブジェクト２１１を表示し、ステップＳ５７に移行する。
【０１４０】
（ステップＳ６０）
リモートコントローラー３１は、冷房運転時の設定内容に対応するデジタルオブジェクト２１１を表示し、ステップＳ５７に移行する。
【０１４１】
（ステップＳ６１）
リモートコントローラー３１は、通常構成に対応するデジタルオブジェクト２１１を表示し、ステップＳ５７に移行する。
【０１４２】
（実施の形態２の効果）
以上の説明から、本実施の形態２においては、空調対象空間となっている部屋における人の存否状態が、人の不在状態から人の在室状態へ遷移した場合、温度判定処理又は操作履歴判定処理が実施される。よって、長時間にわたって人が部屋に存在していると想定される場合、温度判定処理又は操作履歴判定処理が実施されることがない。一方、空調対象空間となっている部屋における人の存否状態が、人の不在状態から人の在室状態へ遷移した場合、温度判定処理又は操作履歴判定処理の何れかを選択するために、室内ユニット２１の稼働状態が判定される。よって、人が部屋に入室したタイミングで周囲環境又は操作履歴に応じて、デジタルオブジェクト２１１が表示される。したがって、リモートコントローラー３１が表示するデジタルオブジェクト２１１は直前の状態が反映されているため、リモートコントローラー３１は、特に顕著に、使用環境に応じて、最適で直感的なユーザインターフェース２０１をユーザに供給することができる。
【０１４３】
以上、本実施の形態２において、制御処理部６９は、室内ユニット２１の空調対象空間で人の存否状態が不在状態から在室状態に遷移した場合、周囲環境又は操作履歴から想定される操作に応じたデジタルオブジェクト２１１を表示させる。
【０１４４】
また、本実施の形態２において、制御処理部６９は、周囲環境から想定される操作に応じたデジタルオブジェクト２１１を表示させる場合、室内ユニット２１の空調対象空間に対応する室内温度と、冷房判定温度と、暖房判定温度と、に基づいて、冷房運転又は暖房運転の運転開始に使用されるデジタルオブジェクト２１１を表示させる。
【０１４５】
また、本実施の形態２において、制御処理部６９は、操作履歴から想定される操作に応じたデジタルオブジェクト２１１を表示させる場合、操作履歴のうち、前回の操作に対応する運転モードの設定に使用されるデジタルオブジェクト２１１を表示させる。
【０１４６】
上記構成で、特に顕著に、使用環境に応じて、最適で直感的なユーザインターフェース２０１を供給することができる。
【０１４７】
実施の形態３．
（他の実施の形態との相違点）
実施の形態１及び実施の形態２との相違点は、特殊構成状態の一例を具体的に示した点にある。実施の形態３では、リモートコントローラー３１は、後述するデジタルオブジェクト２５１、デジタルオブジェクト２６１、デジタルオブジェクト２７１、及びデジタルオブジェクト２８１の表示サイズを変更させている。
【０１４８】
（実施の形態３の動作）
図１０は、本発明の実施の形態３における冷房運転開始時の設定内容を想定した特殊構成状態の場合のデジタルオブジェクト２５１の表示例を示す図である。図１０に示すように、温度判定前状態６０１では、デジタルオブジェクト２５１ａ、デジタルオブジェクト２５１ｂ、デジタルオブジェクト２５１ｃ、デジタルオブジェクト２５１ｄ、及びデジタルオブジェクト２５１ｅがユーザインターフェース２０１に表示されている。なお、デジタルオブジェクト２５１ａ、デジタルオブジェクト２５１ｂ、デジタルオブジェクト２５１ｃ、デジタルオブジェクト２５１ｄ、及びデジタルオブジェクト２５１ｅのそれぞれを特に区別しない場合、デジタルオブジェクト２５１と称する。
【０１４９】
図１０に示すように、温度判定前状態６０１から温度判定後第１状態６３１へ遷移したと想定する。この場合、温度判定後第１状態６３１では、周囲環境に対応したデジタルオブジェクト２５１のサイズ変更が行われるため、表示サイズが変更されている。例えば、デジタルオブジェクト２５１ｂの表示サイズが拡大されている。また、図１０に示すように、温度判定前状態６０１から温度判定後第２状態６６１へ遷移したと想定する。この場合、温度判定後第２状態６６１では、デジタルオブジェクト２５１ｂのサイズ変更が行われるため、表示サイズが変更されて拡大され、同時に、デジタルオブジェクト２５１ｃとして描画されているボタンが削除されている。
【０１５０】
図１１は、本発明の実施の形態３における暖房運転開始時の設定内容を想定した特殊構成状態の場合のデジタルオブジェクト２６１の表示例を示す図である。図１１に示すように、温度判定前状態６０２では、デジタルオブジェクト２６１ａ、デジタルオブジェクト２６１ｂ、デジタルオブジェクト２６１ｃ、デジタルオブジェクト２６１ｄ、及びデジタルオブジェクト２６１ｅがユーザインターフェース２０１に表示されている。なお、デジタルオブジェクト２６１ａ、デジタルオブジェクト２６１ｂ、デジタルオブジェクト２６１ｃ、デジタルオブジェクト２６１ｄ、及びデジタルオブジェクト２６１ｅのそれぞれを特に区別しない場合、デジタルオブジェクト２６１と称する。
【０１５１】
図１１に示すように、温度判定前状態６０２から温度判定後第１状態６３２へ遷移したと想定する。この場合、温度判定後第１状態６３２では、周囲環境に対応したデジタルオブジェクト２６１のサイズ変更が行われるため、表示サイズが変更されている。例えば、デジタルオブジェクト２６１ｂの表示サイズが拡大されている。また、図１１に示すように、温度判定前状態６０２から温度判定後第２状態６６２へ遷移したと想定する。この場合、温度判定後第２状態６６２では、デジタルオブジェクト２６１ｂのサイズ変更が行われるため、表示サイズが変更されて拡大され、同時に、デジタルオブジェクト２６１ｃとして描画されているボタンが削除されている。
【０１５２】
図１２は、本発明の実施の形態３における冷房運転時の設定内容を想定した特殊構成状態の場合のデジタルオブジェクト２７１の表示例を示す図である。図１２に示すように、操作履歴判定前状態７０１では、デジタルオブジェクト２７１ａ、デジタルオブジェクト２７１ｂ、デジタルオブジェクト２７１ｃ、デジタルオブジェクト２７１ｄ、デジタルオブジェクト２７１ｅ、デジタルオブジェクト２７１ｆ、及びデジタルオブジェクト２７１ｇがユーザインターフェース２０１に表示されている。なお、デジタルオブジェクト２７１ａ、デジタルオブジェクト２７１ｂ、デジタルオブジェクト２７１ｃ、デジタルオブジェクト２７１ｄ、デジタルオブジェクト２７１ｅ、デジタルオブジェクト２７１ｆ、及びデジタルオブジェクト２７１ｇのそれぞれを特に区別しない場合、デジタルオブジェクト２７１と称する。
【０１５３】
図１２に示すように、操作履歴判定前状態７０１から操作履歴判定後状態７３１へ遷移したと想定する。この場合、操作履歴判定後状態７３１では、操作履歴に対応したデジタルオブジェクト２７１ａ、デジタルオブジェクト２７１ｂ、デジタルオブジェクト２７１ｄ、及びデジタルオブジェクト２７１ｅのサイズ変更が行われるため、表示サイズが変更されている。例えば、デジタルオブジェクト２７１ａ、デジタルオブジェクト２７１ｂ、デジタルオブジェクト２７１ｄ、及びデジタルオブジェクト２７１ｅの表示サイズが拡大されている。
【０１５４】
図１３は、本発明の実施の形態３における暖房運転時の設定内容を想定した特殊構成状態の場合のデジタルオブジェクト２８１の表示例を示す図である。図１３に示すように、操作履歴判定前状態７０２では、デジタルオブジェクト２８１ａ、デジタルオブジェクト２８１ｂ、デジタルオブジェクト２８１ｃ、デジタルオブジェクト２８１ｄ、デジタルオブジェクト２８１ｅ、デジタルオブジェクト２８１ｆ、及びデジタルオブジェクト２８１ｇがユーザインターフェース２０１に表示されている。なお、デジタルオブジェクト２８１ａ、デジタルオブジェクト２８１ｂ、デジタルオブジェクト２８１ｃ、デジタルオブジェクト２８１ｄ、デジタルオブジェクト２８１ｅ、デジタルオブジェクト２８１ｆ、及びデジタルオブジェクト２８１ｇのそれぞれを特に区別しない場合、デジタルオブジェクト２８１と称する。
【０１５５】
図１３に示すように、操作履歴判定前状態７０２から操作履歴判定後状態７３２へ遷移したと想定する。この場合、操作履歴判定後状態７３２では、操作履歴に対応したデジタルオブジェクト２８１ａ、デジタルオブジェクト２８１ｂ、デジタルオブジェクト２８１ｄ、及びデジタルオブジェクト２８１ｅのサイズ変更が行われるため、表示サイズが変更されている。例えば、デジタルオブジェクト２８１ａ、デジタルオブジェクト２８１ｂ、デジタルオブジェクト２８１ｄ、及びデジタルオブジェクト２８１ｅの表示サイズが拡大されている。
【０１５６】
なお、上記の説明では、特定のデジタルオブジェクト２５１、デジタルオブジェクト２６１、デジタルオブジェクト２７１、及びデジタルオブジェクト２８１を拡大表示させる一例について説明したが、特にこれに限定されない。リモートコントローラー３１は、例えば、不要なデジタルオブジェクト２５１、デジタルオブジェクト２６１、デジタルオブジェクト２７１、及びデジタルオブジェクト２８１を通常の大きさに比べ、小さくするように描画してもよい。
【０１５７】
（実施の形態３の効果）
以上の説明から、本実施の形態３においては、図１０に示すように、冷房運転開始時の設定内容が強調表示されている。例えば、デジタルオブジェクト２５１ｂは、“冷房発停”という文字が表示され、冷房の運転を開始させるボタンとなっていると共に、拡大表示されている。よって、リモートコントローラー３１は、使用環境の１つである周囲環境に応じて、最適で直感的なユーザインターフェース２０１を提供することができる。
【０１５８】
また、本実施の形態３においては、図１１に示すように、暖房運転開始時の設定内容が強調表示されている。例えば、デジタルオブジェクト２５１ｂは、“暖房発停”という文字が表示され、暖房の運転を開始させるボタンとなっていると共に、拡大表示されている。よって、リモートコントローラー３１は、使用環境の１つである周囲環境に応じて、最適で直感的なユーザインターフェース２０１を提供することができる。
【０１５９】
また、本実施の形態３においては、図１２に示すように、冷房運転時の設定内容が強調表示されている。例えば、デジタルオブジェクト２７１ａは、下三角ボタンであり、押下等の操作がされることで設定温度を下げる制御指令を制御処理部６９に供給する。デジタルオブジェクト２７１ａは、拡大表示されているため、強調表示されている。デジタルオブジェクト２７１ｂは、上三角ボタンであり、押下等の操作がされることで設定温度を上げる制御指令を制御処理部６９に供給する。デジタルオブジェクト２７１ｂは、拡大表示されているため、強調表示されている。
【０１６０】
また、例えば、デジタルオブジェクト２７１ｄは、“冷房発停”という文字が表示され、冷房の運転を停止させるボタンとなっていると共に、拡大表示されている。デジタルオブジェクト２７１ｅは、“冷房モード”という文字が表示され、冷房モードの設定へ遷移させるボタンとなっていると共に、拡大表示されている。よって、リモートコントローラー３１は、使用環境の１つである操作履歴に応じて、最適で直感的なユーザインターフェース２０１を提供することができる。
【０１６１】
また、本実施の形態３においては、図１３に示すように、暖房運転時の設定内容が強調表示されている。例えば、デジタルオブジェクト２８１ａは、下三角ボタンであり、押下等の操作がされることで設定温度を下げる制御指令を制御処理部６９に供給する。デジタルオブジェクト２８１ａは、拡大表示されているため、強調表示されている。デジタルオブジェクト２８１ｂは、上三角ボタンであり、押下等の操作がされることで設定温度を上げる制御指令を制御処理部６９に供給する。デジタルオブジェクト２８１ｂは、拡大表示されているため、強調表示されている。
【０１６２】
また、例えば、デジタルオブジェクト２８１ｄは、“暖房発停”という文字が表示され、暖房の運転を停止させるボタンとなっていると共に、拡大表示されている。デジタルオブジェクト２８１ｅは、“暖房モード”という文字が表示され、暖房モードの設定へ遷移させるボタンとなっていると共に、拡大表示されている。よって、リモートコントローラー３１は、使用環境の１つである操作履歴に応じて、最適で直感的なユーザインターフェース２０１を提供することができる。
【０１６３】
以上、本実施の形態３におけるリモートコントローラー３１は、特に顕著に、使用環境に応じて、最適で直感的なユーザインターフェース２０１を提供することができる。
【０１６４】
以上、本実施の形態３において、制御処理部６９は、デジタルオブジェクト２５１、２６１、２７１、２８１の表示サイズを変更させる。
【０１６５】
また、本実施の形態３において、制御処理部６９は、周囲環境から想定される操作に応じたデジタルオブジェクト２５１、２６１を表示させる場合、周囲環境に対応するデジタルオブジェクト２５１、２６１の表示サイズを、周囲環境に対応しないデジタルオブジェクト２５１、２６１の表示サイズと比べて大きくする。
【０１６６】
また、本実施の形態３において、制御処理部６９は、操作履歴から想定される操作に応じたデジタルオブジェクト２７１、２８１を表示させる場合、操作履歴に対応するデジタルオブジェクト２７１、２８１の表示サイズを、操作履歴に対応しないデジタルオブジェクト２７１、２８１の表示サイズと比べて大きくする。
【０１６７】
上記構成で、特に顕著に、使用環境に応じて、最適で直感的なユーザインターフェース２０１を供給することができる。
【０１６８】
実施の形態４．
（他の実施の形態との相違点）
実施の形態１〜実施の形態３との相違点は、特殊構成状態の一例を具体的に示した点にある。実施の形態４では、リモートコントローラー３１は、後述するデジタルオブジェクト２９１、デジタルオブジェクト３１１、デジタルオブジェクト３２１、及びデジタルオブジェクト３３１の表示位置を変更させている。
【０１６９】
（実施の形態４の動作）
図１４は、本発明の実施の形態４における冷房運転開始時の設定内容を想定した特殊構成状態の場合のデジタルオブジェクト２９１の表示例を示す図である。図１４に示すように、温度判定前状態６０３では、デジタルオブジェクト２９１ａ、デジタルオブジェクト２９１ｂ、デジタルオブジェクト２９１ｃ、デジタルオブジェクト２９１ｄ、及びデジタルオブジェクト２９１ｅがユーザインターフェース２０１に表示されている。なお、デジタルオブジェクト２９１ａ、デジタルオブジェクト２９１ｂ、デジタルオブジェクト２９１ｃ、デジタルオブジェクト２９１ｄ、及びデジタルオブジェクト２９１ｅのそれぞれを特に区別しない場合、デジタルオブジェクト２９１と称する。
【０１７０】
図１４に示すように、温度判定前状態６０３から温度判定後第１状態６３３へ遷移したと想定する。この場合、温度判定後第１状態６３３では、デジタルオブジェクト２９１の位置変更が行われるため、表示位置が変更されている。例えば、制御処理部６９は、周囲環境に対応したデジタルオブジェクト２９１ｂが操作されやすい位置となるように、デジタルオブジェクト２９１ｂの表示位置をユーザインターフェース２０１である表示画面の中央側に表示させる。
【０１７１】
また、図１４に示すように、温度判定前状態６０３から温度判定後第２状態６６３へ遷移したと想定する。この場合、温度判定後第２状態６６３では、デジタルオブジェクト２９１ｂの位置変更が行われるため、表示位置が変更され、同時に、デジタルオブジェクト２９１ｃとして描画されているボタンが削除されている。
【０１７２】
なお、制御処理部６９は、周囲環境に対応しないデジタルオブジェクト２９１ｄ等が操作されにくい位置となるように、デジタルオブジェクト２９１ｄ等の表示位置をユーザインターフェース２０１である表示画面の縁側に表示させてもよい。
【０１７３】
図１５は、本発明の実施の形態４における暖房運転開始時の設定内容を想定した特殊構成状態の場合のデジタルオブジェクト３１１の表示例を示す図である。図１５に示すように、温度判定前状態６０４では、デジタルオブジェクト３１１ａ、デジタルオブジェクト３１１ｂ、デジタルオブジェクト３１１ｃ、デジタルオブジェクト３１１ｄ、及びデジタルオブジェクト３１１ｅがユーザインターフェース２０１に表示されている。なお、デジタルオブジェクト３１１ａ、デジタルオブジェクト３１１ｂ、デジタルオブジェクト３１１ｃ、デジタルオブジェクト３１１ｄ、及びデジタルオブジェクト３１１ｅのそれぞれを特に区別しない場合、デジタルオブジェクト３１１と称する。
【０１７４】
図１５に示すように、温度判定前状態６０４から温度判定後第１状態６３４へ遷移したと想定する。この場合、温度判定後第１状態６３４では、デジタルオブジェクト３１１の位置変更が行われるため、表示位置が変更されている。例えば、制御処理部６９は、周囲環境に対応したデジタルオブジェクト３１１ｂが操作されやすい位置となるように、デジタルオブジェクト３１１ｂの表示位置をユーザインターフェース２０１である表示画面の中央側に表示させる。
【０１７５】
また、図１５に示すように、温度判定前状態６０４から温度判定後第２状態６６４へ遷移したと想定する。この場合、温度判定後第２状態６６４では、デジタルオブジェクト３１１ｂの位置変更が行われるため、表示位置が変更され、同時に、デジタルオブジェクト３１１ｃとして描画されているボタンが削除されている。
【０１７６】
なお、制御処理部６９は、周囲環境に対応しないデジタルオブジェクト３１１ｄ等が操作されにくい位置となるように、デジタルオブジェクト３１１ｄ等の表示位置をユーザインターフェース２０１である表示画面の縁側に表示させてもよい。
【０１７７】
図１６は、本発明の実施の形態４における冷蔵運転時の設定内容を想定した特殊構成状態の場合のデジタルオブジェクト３２１の表示例を示す図である。図１６は、本発明の実施の形態４における冷房運転時の設定内容を想定した特殊構成状態の場合のデジタルオブジェクト３２１の表示例を示す図である。図１６に示すように、操作履歴判定前状態７０３では、デジタルオブジェクト３２１ａ、デジタルオブジェクト３２１ｂ、デジタルオブジェクト３２１ｃ、デジタルオブジェクト３２１ｄ、デジタルオブジェクト３２１ｅ、デジタルオブジェクト３２１ｆ、及びデジタルオブジェクト３２１ｇがユーザインターフェース２０１に表示されている。
【０１７８】
なお、デジタルオブジェクト３２１ａ、デジタルオブジェクト３２１ｂ、デジタルオブジェクト３２１ｃ、デジタルオブジェクト３２１ｄ、デジタルオブジェクト３２１ｅ、デジタルオブジェクト３２１ｆ、及びデジタルオブジェクト３２１ｇのそれぞれを特に区別しない場合、デジタルオブジェクト３２１と称する。
【０１７９】
図１６に示すように、操作履歴判定前状態７０３から操作履歴判定後状態７３３へ遷移したと想定する。この場合、操作履歴判定後状態７３３では、操作履歴に対応したデジタルオブジェクト３２１ａ、デジタルオブジェクト３２１ｂ、デジタルオブジェクト３２１ｄ、及びデジタルオブジェクト３２１ｅの位置変更が行われるため、表示位置が変更されている。例えば、制御処理部６９は、操作履歴に対応したデジタルオブジェクト３２１ａ、デジタルオブジェクト３２１ｂ、デジタルオブジェクト３２１ｄ、及びデジタルオブジェクト３２１ｅが操作されやすい位置となるように、デジタルオブジェクト３２１ａ、デジタルオブジェクト３２１ｂ、デジタルオブジェクト３２１ｄ、及びデジタルオブジェクト３２１ｅの表示位置をユーザインターフェース２０１である表示画面の中央側に表示させる。
【０１８０】
なお、制御処理部６９は、操作履歴に対応しないデジタルオブジェクト３２１ｆ等が操作されにくい位置となるように、デジタルオブジェクト３２１ｆ等の表示位置をユーザインターフェース２０１である表示画面の縁側に表示させてもよい。
【０１８１】
図１７は、本発明の実施の形態４における暖房運転時の設定内容を想定した特殊構成状態の場合のデジタルオブジェクト３３１の表示例を示す図である。図１７は、本発明の実施の形態４における暖房運転時の設定内容を想定した特殊構成状態の場合のデジタルオブジェクト３３１の表示例を示す図である。図１７に示すように、操作履歴判定前状態７０４では、デジタルオブジェクト３３１ａ、デジタルオブジェクト３３１ｂ、デジタルオブジェクト３３１ｃ、デジタルオブジェクト３３１ｄ、デジタルオブジェクト３３１ｅ、デジタルオブジェクト３３１ｆ、及びデジタルオブジェクト３３１ｇがユーザインターフェース２０１に表示されている。
【０１８２】
なお、デジタルオブジェクト３３１ａ、デジタルオブジェクト３３１ｂ、デジタルオブジェクト３３１ｃ、デジタルオブジェクト３３１ｄ、デジタルオブジェクト３３１ｅ、デジタルオブジェクト３３１ｆ、及びデジタルオブジェクト３３１ｇのそれぞれを特に区別しない場合、デジタルオブジェクト３３１と称する。
【０１８３】
図１７に示すように、操作履歴判定前状態７０４から操作履歴判定後状態７３４へ遷移したと想定する。この場合、操作履歴判定後状態７３４では、操作履歴に対応したデジタルオブジェクト３３１ａ、デジタルオブジェクト３３１ｂ、デジタルオブジェクト３３１ｄ、及びデジタルオブジェクト３３１ｅの位置変更が行われるため、表示位置が変更されている。例えば、制御処理部６９は、操作履歴に対応したデジタルオブジェクト３３１ａ、デジタルオブジェクト３３１ｂ、デジタルオブジェクト３３１ｄ、及びデジタルオブジェクト３３１ｅが操作されやすい位置となるように、デジタルオブジェクト３３１ａ、デジタルオブジェクト３３１ｂ、デジタルオブジェクト３３１ｄ、及びデジタルオブジェクト３３１ｅの表示位置をユーザインターフェース２０１である表示画面の中央側に表示させる。
【０１８４】
なお、制御処理部６９は、操作履歴に対応しないデジタルオブジェクト３３１ｆ等が操作されにくい位置となるように、デジタルオブジェクト３３１ｆ等の表示位置をユーザインターフェース２０１である表示画面の縁側に表示させてもよい。
【０１８５】
（実施の形態４の効果）
以上の説明から、本実施の形態４においては、図１４に示すように、冷房運転開始時の設定内容が強調表示されている。例えば、デジタルオブジェクト２９１ｂは、“冷房発停”という文字が表示され、冷房の運転を開始させるボタンとなっていると共に、表示画面の中央側に表示されている。よって、リモートコントローラー３１は、使用環境の１つである周囲環境に応じて、最適で直感的なユーザインターフェース２０１を提供することができる。
【０１８６】
また、本実施の形態４においては、図１５に示すように、暖房運転開始時の設定内容が強調表示されている。例えば、デジタルオブジェクト３１１ｂは、“暖房発停”という文字が表示され、暖房の運転を開始させるボタンとなっていると共に、表示画面の中央側に表示されている。よって、リモートコントローラー３１は、使用環境の１つである周囲環境に応じて、最適で直感的なユーザインターフェース２０１を提供することができる。
【０１８７】
また、本実施の形態４においては、図１６に示すように、冷房運転時の設定内容が強調表示されている。例えば、デジタルオブジェクト３２１ａは、下三角ボタンであり、押下等の操作がされることで設定温度を下げる制御指令を制御処理部６９に供給する。デジタルオブジェクト３２１ａは、表示画面の中央側に表示されているため、強調表示されている。デジタルオブジェクト３２１ｂは、上三角ボタンであり、押下等の操作がされることで設定温度を上げる制御指令を制御処理部６９に供給する。デジタルオブジェクト３２１ｂは、表示画面の中央側に表示されているため、強調表示されている。
【０１８８】
また、例えば、デジタルオブジェクト３２１ｄは、“冷房発停”という文字が表示され、冷房の運転を停止させるボタンとなっていると共に、表示画面の中央側に表示されている。デジタルオブジェクト３２１ｅは、“冷房モード”という文字が表示され、冷房モードの設定へ遷移させるボタンとなっていると共に、表示画面の中央側に表示されている。よって、リモートコントローラー３１は、使用環境の１つである操作履歴に応じて、最適で直感的なユーザインターフェース２０１を提供することができる。
【０１８９】
また、本実施の形態３においては、図１７に示すように、暖房運転時の設定内容が強調表示されている。例えば、デジタルオブジェクト３３１ａは、下三角ボタンであり、押下等の操作がされることで設定温度を下げる制御指令を制御処理部６９に供給する。デジタルオブジェクト３３１ａは、表示画面の中央側に表示されているため、強調表示されている。デジタルオブジェクト３３１ｂは、上三角ボタンであり、押下等の操作がされることで設定温度を上げる制御指令を制御処理部６９に供給する。デジタルオブジェクト３３１ｂは、表示画面の中央側に表示されているため、強調表示されている。
【０１９０】
また、例えば、デジタルオブジェクト３３１ｄは、“暖房発停”という文字が表示され、暖房の運転を停止させるボタンとなっていると共に、表示画面の中央側に表示されている。デジタルオブジェクト３３１ｅは、“暖房モード”という文字が表示され、暖房モードの設定へ遷移させるボタンとなっていると共に、表示画面の中央側に表示されている。よって、リモートコントローラー３１は、使用環境の１つである操作履歴に応じて、最適で直感的なユーザインターフェース２０１を提供することができる。
【０１９１】
以上、本実施の形態４におけるリモートコントローラー３１は、特に顕著に、使用環境に応じて、最適で直感的なユーザインターフェース２０１を提供することができる。
【０１９２】
以上、本実施の形態４においては、制御処理部６９は、デジタルオブジェクト２９１、３１１、３２１、３３１の表示位置を変更させる。
【０１９３】
また、本実施の形態４において、制御処理部６９は、表示部６３に出力させる表示画面にデジタルオブジェクト２９１、３１１を表示させるものであって、周囲環境から想定される操作に応じたデジタルオブジェクト２９１、３１１を表示させる場合、周囲環境に対応するデジタルオブジェクト２９１、３１１の表示位置を表示画面の中央側に表示させ、周囲環境に対応しないデジタルオブジェクト２９１、３１１の表示位置を表示画面の縁側に表示させる。
【０１９４】
また、本実施の形態４において、制御処理部６９は、表示部６３に出力させる表示画面にデジタルオブジェクト３２１、３３１を表示させるものであって、操作履歴から想定される操作に応じたデジタルオブジェクト３２１、３３１を表示させる場合、操作履歴に対応するデジタルオブジェクト３２１、３３１の表示位置を表示画面の中央側に表示させ、操作履歴に対応しないデジタルオブジェクト３２１、３３１の表示位置を表示画面の縁側に表示させる。
【０１９５】
上記構成で、特に顕著に、使用環境に応じて、最適で直感的なユーザインターフェース２０１を供給することができる。
【０１９６】
実施の形態５．
（他の実施の形態との相違点）
実施の形態１〜実施の形態４との相違点は、特殊構成状態の一例を具体的に示した点にある。実施の形態５では、リモートコントローラー３１は、後述するデジタルオブジェクト３４１、デジタルオブジェクト３５１、デジタルオブジェクト３６１、及びデジタルオブジェクト３７１の表示色を変更させている。
【０１９７】
（実施の形態５の動作）
図１８は、本発明の実施の形態５における冷房運転開始時の設定内容を想定した特殊構成状態の場合のデジタルオブジェクト３４１の表示例を示す図である。図１８に示すように、温度判定前状態６０５では、デジタルオブジェクト３４１ａ、デジタルオブジェクト３４１ｂ、デジタルオブジェクト３４１ｃ、デジタルオブジェクト３４１ｄ、及びデジタルオブジェクト３４１ｅがユーザインターフェース２０１に表示されている。なお、デジタルオブジェクト３４１ａ、デジタルオブジェクト３４１ｂ、デジタルオブジェクト３４１ｃ、デジタルオブジェクト３４１ｄ、及びデジタルオブジェクト３４１ｅのそれぞれを特に区別しない場合、デジタルオブジェクト３４１と称する。
【０１９８】
図１８に示すように、温度判定前状態６０５から温度判定後第１状態６３５へ遷移したと想定する。この場合、温度判定後第１状態６３５では、デジタルオブジェクト３４１の色変更が行われるため、表示色が変更されている。例えば、制御処理部６９は、周囲環境に対応したデジタルオブジェクト３４１ｂが目立つように、デジタルオブジェクト３４１ｂの表示色の明度又は彩度を、周囲環境に対応しないデジタルオブジェクト３４１ａ、デジタルオブジェクト３４１ｃ、デジタルオブジェクト３４１ｄ、及びデジタルオブジェクト３４１ｅの表示色の明度又は彩度と比べて高くさせる。
【０１９９】
また、図１８に示すように、温度判定前状態６０５から温度判定後第２状態６６５へ遷移したと想定する。この場合、温度判定後第２状態６６５では、デジタルオブジェクト３４１ｂの色変更が行われるため、表示色が変更され、同時に、デジタルオブジェクト３４１ｃとして描画されているボタンが削除されている。
【０２００】
図１９は、本発明の実施の形態５における暖房運転開始時の設定内容を想定した特殊構成状態の場合のデジタルオブジェクト３５１の表示例を示す図である。図１９に示すように、温度判定前状態６０６では、デジタルオブジェクト３５１ａ、デジタルオブジェクト３５１ｂ、デジタルオブジェクト３５１ｃ、デジタルオブジェクト３５１ｄ、及びデジタルオブジェクト３５１ｅがユーザインターフェース２０１に表示されている。なお、デジタルオブジェクト３５１ａ、デジタルオブジェクト３５１ｂ、デジタルオブジェクト３５１ｃ、デジタルオブジェクト３５１ｄ、及びデジタルオブジェクト３５１ｅのそれぞれを特に区別しない場合、デジタルオブジェクト３５１と称する。
【０２０１】
図１９に示すように、温度判定前状態６０６から温度判定後第１状態６３６へ遷移したと想定する。この場合、温度判定後第１状態６３６では、デジタルオブジェクト３５１の色変更が行われるため、表示色が変更されている。例えば、制御処理部６９は、周囲環境に対応したデジタルオブジェクト３５１ｂが目立つように、デジタルオブジェクト３５１ｂの表示色の明度又は彩度を、周囲環境に対応しないデジタルオブジェクト３５１ａ、デジタルオブジェクト３５１ｃ、デジタルオブジェクト３５１ｄ、及びデジタルオブジェクト３５１ｅの表示色の明度又は彩度と比べて高くさせる。
【０２０２】
また、図１９に示すように、温度判定前状態６０６から温度判定後第２状態６６６へ遷移したと想定する。この場合、温度判定後第２状態６６６では、デジタルオブジェクト３５１ｂの色変更が行われるため、表示色が変更され、同時に、デジタルオブジェクト３５１ｃとして描画されているボタンが削除されている。
【０２０３】
図２０は、本発明の実施の形態５における冷房運転時の設定内容を想定した特殊構成状態の場合のデジタルオブジェクト３６１の表示例を示す図である。図２０は、本発明の実施の形態５における冷房運転時の設定内容を想定した特殊構成状態の場合のデジタルオブジェクト３６１の表示例を示す図である。図２０に示すように、操作履歴判定前状態７０５では、デジタルオブジェクト３６１ａ、デジタルオブジェクト３６１ｂ、デジタルオブジェクト３６１ｃ、デジタルオブジェクト３６１ｄ、デジタルオブジェクト３６１ｅ、デジタルオブジェクト３６１ｆ、及びデジタルオブジェクト３６１ｇがユーザインターフェース２０１に表示されている。
【０２０４】
なお、デジタルオブジェクト３６１ａ、デジタルオブジェクト３６１ｂ、デジタルオブジェクト３６１ｃ、デジタルオブジェクト３６１ｄ、デジタルオブジェクト３６１ｅ、デジタルオブジェクト３６１ｆ、及びデジタルオブジェクト３６１ｇのそれぞれを特に区別しない場合、デジタルオブジェクト３６１と称する。
【０２０５】
図２０に示すように、操作履歴判定前状態７０５から操作履歴判定後状態７３５へ遷移したと想定する。この場合、操作履歴判定後状態７３５では、操作履歴に対応したデジタルオブジェクト３５１ａ、デジタルオブジェクト３５１ｂ、デジタルオブジェクト３５１ｄ、及びデジタルオブジェクト３５１ｅの色変更が行われるため、表示色が変更されている。例えば、制御処理部６９は、操作履歴に対応したデジタルオブジェクト３６１ａ、デジタルオブジェクト３６１ｂ、デジタルオブジェクト３６１ｄ、及びデジタルオブジェクト３６１ｅが目立つように、デジタルオブジェクト３６１ａ、デジタルオブジェクト３６１ｂ、デジタルオブジェクト３６１ｄ、及びデジタルオブジェクト３６１ｅの表示色の明度又は彩度を、周囲環境に対応しないデジタルオブジェクト３６１ｃ、デジタルオブジェクト３６１ｆ、及びデジタルオブジェクト３６１ｇの表示色の明度又は彩度と比べて高くさせる。
【０２０６】
図２１は、本発明の実施の形態５における暖房運転時の設定内容を想定した特殊構成状態の場合のデジタルオブジェクト３７１の表示例を示す図である。図２１は、本発明の実施の形態５における暖房運転時の設定内容を想定した特殊構成状態の場合のデジタルオブジェクト３７１の表示例を示す図である。図２１に示すように、操作履歴判定前状態７０６では、デジタルオブジェクト３７１ａ、デジタルオブジェクト３７１ｂ、デジタルオブジェクト３７１ｃ、デジタルオブジェクト３７１ｄ、デジタルオブジェクト３７１ｅ、デジタルオブジェクト３７１ｆ、及びデジタルオブジェクト３７１ｇがユーザインターフェース２０１に表示されている。
【０２０７】
なお、デジタルオブジェクト３７１ａ、デジタルオブジェクト３７１ｂ、デジタルオブジェクト３７１ｃ、デジタルオブジェクト３７１ｄ、デジタルオブジェクト３７１ｅ、デジタルオブジェクト３７１ｆ、及びデジタルオブジェクト３７１ｇのそれぞれを特に区別しない場合、デジタルオブジェクト３７１と称する。
【０２０８】
図２１に示すように、操作履歴判定前状態７０６から操作履歴判定後状態７３６へ遷移したと想定する。この場合、操作履歴判定後状態７３６では、操作履歴に対応したデジタルオブジェクト３７１ａ、デジタルオブジェクト３７１ｂ、デジタルオブジェクト３７１ｄ、及びデジタルオブジェクト３７１ｅの色変更が行われるため、表示色が変更されている。例えば、制御処理部６９は、操作履歴に対応したデジタルオブジェクト３７１ａ、デジタルオブジェクト３７１ｂ、デジタルオブジェクト３７１ｄ、及びデジタルオブジェクト３７１ｅが目立つように、デジタルオブジェクト３７１ａ、デジタルオブジェクト３７１ｂ、デジタルオブジェクト３７１ｄ、及びデジタルオブジェクト３７１ｅの表示色の明度又は彩度を、周囲環境に対応しないデジタルオブジェクト３７１ｃ、デジタルオブジェクト３７１ｆ、及びデジタルオブジェクト３７１ｇの表示色の明度又は彩度と比べて高くさせる。
【０２０９】
（実施の形態５の効果）
以上の説明から、本実施の形態５におけるリモートコントローラー３１は、図１８に示すように、冷房運転開始時の設定内容が強調表示されている。例えば、デジタルオブジェクト３４１ｂは、“冷房発停”という文字が表示され、冷房の運転を開始させるボタンとなっていると共に、表示色の明度又は彩度を、周囲環境に対応しない他のデジタルオブジェクト３４１と比べて高くさせている。よって、リモートコントローラー３１は、使用環境の１つである周囲環境に応じて、最適で直感的なユーザインターフェース２０１を提供することができる。
【０２１０】
また、本実施の形態５においては、図１９に示すように、暖房運転開始時の設定内容が強調表示されている。例えば、デジタルオブジェクト３５１ｂは、“暖房発停”という文字が表示され、暖房の運転を開始させるボタンとなっていると共に、表示色の明度又は彩度を、周囲環境に対応しない他のデジタルオブジェクト３５１と比べて高くさせている。よって、リモートコントローラー３１は、使用環境の１つである周囲環境に応じて、最適で直感的なユーザインターフェース２０１を提供することができる。
【０２１１】
また、本実施の形態５においては、図２０に示すように、冷房運転時の設定内容が強調表示されている。例えば、デジタルオブジェクト３６１ａは、下三角ボタンであり、押下等の操作がされることで設定温度を下げる制御指令を制御処理部６９に供給する。デジタルオブジェクト３６１ａは、表示色の明度又は彩度を、操作履歴に対応しない他のデジタルオブジェクト３６１と比べて高くさせているため、強調表示されている。デジタルオブジェクト３６１ｂは、上三角ボタンであり、押下等の操作がされることで設定温度を上げる制御指令を制御処理部６９に供給する。デジタルオブジェクト３６１ｂは、表示色の明度又は彩度を、操作履歴に対応しない他のデジタルオブジェクト３６１と比べて高くさせているため、強調表示されている。
【０２１２】
また、例えば、デジタルオブジェクト３６１ｄは、“冷房発停”という文字が表示され、冷房の運転を停止させるボタンとなっていると共に、表示色の明度又は彩度を、操作履歴に対応しない他のデジタルオブジェクト３６１と比べて高くさせているため、強調表示されている。デジタルオブジェクト３６１ｅは、“冷房モード”という文字が表示され、冷房モードの設定へ遷移させるボタンとなっていると共に、表示色の明度又は彩度を、操作履歴に対応しない他のデジタルオブジェクト３６１と比べて高くさせているため、強調表示されている。よって、リモートコントローラー３１は、使用環境の１つである操作履歴に応じて、最適で直感的なユーザインターフェース２０１を提供することができる。
【０２１３】
また、本実施の形態５においては、図２１に示すように、暖房運転時の設定内容が強調表示されている。例えば、デジタルオブジェクト３７１ａは、下三角ボタンであり、押下等の操作がされることで設定温度を下げる制御指令を制御処理部６９に供給する。デジタルオブジェクト３７１ａは、表示色の明度又は彩度を、操作履歴に対応しない他のデジタルオブジェクト３７１と比べて高くさせているため、強調表示されている。デジタルオブジェクト３７１ｂは、上三角ボタンであり、押下等の操作がされることで設定温度を上げる制御指令を制御処理部６９に供給する。デジタルオブジェクト３７１ｂは、表示色の明度又は彩度を、操作履歴に対応しない他のデジタルオブジェクト３７１と比べて高くさせているため、強調表示されている。
【０２１４】
また、例えば、デジタルオブジェクト３７１ｄは、“暖房発停”という文字が表示され、暖房の運転を停止させるボタンとなっていると共に、表示色の明度又は彩度を、操作履歴に対応しない他のデジタルオブジェクト３７１と比べて高くさせているため、強調表示されている。デジタルオブジェクト３７１ｅは、“暖房モード”という文字が表示され、暖房モードの設定へ遷移させるボタンとなっていると共に、表示色の明度又は彩度を、操作履歴に対応しない他のデジタルオブジェクト３７１と比べて高くさせているため、強調表示されている。よって、リモートコントローラー３１は、使用環境の１つである操作履歴に応じて、最適で直感的なユーザインターフェース２０１を提供することができる。
【０２１５】
以上、本実施の形態５におけるリモートコントローラー３１は、特に顕著に、使用環境に応じて、最適で直感的なユーザインターフェース２０１を供給することができる。
【０２１６】
以上、本実施の形態５においては、制御処理部６９は、デジタルオブジェクト３４１、３５１、３６１、３７１の表示色を変更させる。
【０２１７】
また、本実施の形態５において、制御処理部６９は、周囲環境から想定される操作に応じたデジタルオブジェクト３４１、３５１を表示させる場合、周囲環境に対応するデジタルオブジェクト３４１、３５１の表示色の明度又は彩度を、周囲環境に対応しないデジタルオブジェクト３４１、３５１の表示色の明度又は彩度と比べて高くさせる。
【０２１８】
また、本実施の形態５において、制御処理部６９は、操作履歴から想定される操作に応じたデジタルオブジェクト３６１、３７１を表示させる場合、操作履歴に対応するデジタルオブジェクト３６１、３７１の表示色の明度又は彩度を、操作履歴に対応しないデジタルオブジェクト３６１、３７１の表示色の明度又は彩度と比べて高くさせる。
【０２１９】
上記構成で、特に顕著に、使用環境に応じて、最適で直感的なユーザインターフェース２０１を供給することができる。
【０２２０】
実施の形態６．
（他の実施の形態との相違点）
実施の形態１〜実施の形態５との相違点は、特殊構成状態の一例を具体的に示した点にある。実施の形態６では、リモートコントローラー３１は、後述するデジタルオブジェクト３８１、デジタルオブジェクト３９１、デジタルオブジェクト４１１、及びデジタルオブジェクト４２１の表示形状を変更させている。
【０２２１】
（実施の形態６の動作）
図２２は、本発明の実施の形態６における冷房運転開始時の設定内容を想定した特殊構成状態の場合のデジタルオブジェクト３８１の表示例を示す図である。図２２に示すように、温度判定前状態６０７では、デジタルオブジェクト３８１ａ、デジタルオブジェクト３８１ｂ、デジタルオブジェクト３８１ｃ、デジタルオブジェクト３８１ｄ、及びデジタルオブジェクト３８１ｅがユーザインターフェース２０１に表示されている。なお、デジタルオブジェクト３８１ａ、デジタルオブジェクト３８１ｂ、デジタルオブジェクト３８１ｃ、デジタルオブジェクト３８１ｄ、及びデジタルオブジェクト３８１ｅのそれぞれを特に区別しない場合、デジタルオブジェクト３８１と称する。
【０２２２】
図２２に示すように、温度判定前状態６０７から温度判定後第１状態６３７へ遷移したと想定する。この場合、温度判定後第１状態６３７では、デジタルオブジェクト３８１の形状変更が行われるため、表示形状が変更されている。例えば、制御処理部６９は、周囲環境に対応したデジタルオブジェクト３８１ｂが目立つように、デジタルオブジェクト３８１ｂの表示形状を強調表示用画像情報に基づいて表示させる。
【０２２３】
また、図２２に示すように、温度判定前状態６０７から温度判定後第２状態６６７へ遷移したと想定する。この場合、温度判定後第２状態６６７では、デジタルオブジェクト３８１ｂの形状変更が行われるため、表示形状が変更され、同時に、デジタルオブジェクト３８１ｃとして描画されているボタンが削除されている。
【０２２４】
図２３は、本発明の実施の形態６における暖房運転開始時の設定内容を想定した特殊構成状態の場合のデジタルオブジェクト３９１の表示例を示す図である。図２３に示すように、温度判定前状態６０８では、デジタルオブジェクト３９１ａ、デジタルオブジェクト３９１ｂ、デジタルオブジェクト３９１ｃ、デジタルオブジェクト３９１ｄ、及びデジタルオブジェクト３９１ｅがユーザインターフェース２０１に表示されている。なお、デジタルオブジェクト３９１ａ、デジタルオブジェクト３９１ｂ、デジタルオブジェクト３９１ｃ、デジタルオブジェクト３９１ｄ、及びデジタルオブジェクト３９１ｅのそれぞれを特に区別しない場合、デジタルオブジェクト３９１と称する。
【０２２５】
図２３に示すように、温度判定前状態６０８から温度判定後第１状態６３８へ遷移したと想定する。この場合、温度判定後第１状態６３８では、デジタルオブジェクト３９１の形状変更が行われるため、表示形状が変更されている。例えば、制御処理部６９は、周囲環境に対応したデジタルオブジェクト３９１ｂが目立つように、デジタルオブジェクト３９１ｂの表示形状を強調表示用画像情報に基づいて表示させる。
【０２２６】
また、図２３に示すように、温度判定前状態６０８から温度判定後第２状態６６８へ遷移したと想定する。この場合、温度判定後第２状態６６８では、デジタルオブジェクト３９１ｂの形状変更が行われるため、表示形状が変更され、同時に、デジタルオブジェクト３９１ｃとして描画されているボタンが削除されている。
【０２２７】
図２４は、本発明の実施の形態６における冷房運転時の設定内容を想定した特殊構成状態の場合のデジタルオブジェクト４１１の表示例を示す図である。図２４に示すように、操作履歴判定前状態７０７では、デジタルオブジェクト４１１ａ、デジタルオブジェクト４１１ｂ、デジタルオブジェクト４１１ｃ、デジタルオブジェクト４１１ｄ、デジタルオブジェクト４１１ｅ、デジタルオブジェクト４１１ｆ、及びデジタルオブジェクト４１１ｇがユーザインターフェース２０１に表示されている。
【０２２８】
なお、デジタルオブジェクト４１１ａ、デジタルオブジェクト４１１ｂ、デジタルオブジェクト４１１ｃ、デジタルオブジェクト４１１ｄ、デジタルオブジェクト４１１ｅ、デジタルオブジェクト４１１ｆ、及びデジタルオブジェクト４１１ｇのそれぞれを特に区別しない場合、デジタルオブジェクト４１１と称する。
【０２２９】
図２４に示すように、操作履歴判定前状態７０７から操作履歴判定後状態７３７へ遷移したと想定する。この場合、操作履歴判定後状態７３７では、操作履歴に対応したデジタルオブジェクト４１１ａ、デジタルオブジェクト４１１ｂ、デジタルオブジェクト４１１ｄ、及びデジタルオブジェクト４１１ｅの形状変更が行われるため、表示形状が変更されている。例えば、制御処理部６９は、操作履歴に対応したデジタルオブジェクト３６１ａ、デジタルオブジェクト３６１ｂ、デジタルオブジェクト３６１ｄ、及びデジタルオブジェクト３６１ｅが目立つように、デジタルオブジェクト３６１ａ、デジタルオブジェクト３６１ｂ、デジタルオブジェクト３６１ｄ、及びデジタルオブジェクト３６１ｅの表示形状を強調表示用画像情報に基づいて表示させる。
【０２３０】
図２５は、本発明の実施の形態６における暖房運転時の設定内容を想定した特殊構成状態の場合のデジタルオブジェクト４２１の表示例を示す図である。図２５に示すように、操作履歴判定前状態７０８では、デジタルオブジェクト４２１ａ、デジタルオブジェクト４２１ｂ、デジタルオブジェクト４２１ｃ、デジタルオブジェクト４２１ｄ、デジタルオブジェクト４２１ｅ、デジタルオブジェクト４２１ｆ、及びデジタルオブジェクト４２１ｇがユーザインターフェース２０１に表示されている。
【０２３１】
なお、デジタルオブジェクト４２１ａ、デジタルオブジェクト４２１ｂ、デジタルオブジェクト４２１ｃ、デジタルオブジェクト４２１ｄ、デジタルオブジェクト４２１ｅ、デジタルオブジェクト４２１ｆ、及びデジタルオブジェクト４２１ｇのそれぞれを特に区別しない場合、デジタルオブジェクト４２１と称する。
【０２３２】
図２５に示すように、操作履歴判定前状態７０８から操作履歴判定後状態７３８へ遷移したと想定する。この場合、操作履歴判定後状態７３８では、操作履歴に対応したデジタルオブジェクト４２１ａ、デジタルオブジェクト４２１ｂ、デジタルオブジェクト４２１ｄ、及びデジタルオブジェクト４２１ｅの形状変更が行われるため、表示形状が変更されている。例えば、制御処理部６９は、操作履歴に対応したデジタルオブジェクト４２１ａ、デジタルオブジェクト４２１ｂ、デジタルオブジェクト４２１ｄ、及びデジタルオブジェクト４２１ｅが目立つように、デジタルオブジェクト４２１ａ、デジタルオブジェクト４２１ｂ、デジタルオブジェクト４２１ｄ、及びデジタルオブジェクト４２１ｅの表示形状を強調表示用画像情報に基づいて表示させる。
【０２３３】
（実施の形態６の効果）
以上の説明から、本実施の形態６におけるリモートコントローラー３１は、図２２に示すように、冷房運転開始時の設定内容が強調表示されている。例えば、デジタルオブジェクト３８１ｂは、“冷房発停”という文字が表示され、冷房の運転を開始させるボタンとなっていると共に、表示形状を強調表示用画像情報に基づいて表示させる。よって、リモートコントローラー３１は、使用環境の１つである周囲環境に応じて、最適で直感的なユーザインターフェース２０１を提供することができる。
【０２３４】
また、本実施の形態６においては、図２３に示すように、暖房運転開始時の設定内容が強調表示されている。例えば、デジタルオブジェクト３９１ｂは、“暖房発停”という文字が表示され、暖房の運転を開始させるボタンとなっていると共に、表示形状を強調表示用画像情報に基づいて表示させる。よって、リモートコントローラー３１は、使用環境の１つである周囲環境に応じて、最適で直感的なユーザインターフェース２０１を提供することができる。
【０２３５】
また、本実施の形態６においては、図２４に示すように、冷房運転時の設定内容が強調表示されている。例えば、デジタルオブジェクト４１１ａは、下三角ボタンであり、押下等の操作がされることで設定温度を下げる制御指令を制御処理部６９に供給する。デジタルオブジェクト４１１ａは、表示形状を強調表示用画像情報に基づいて表示されているため、強調表示されている。デジタルオブジェクト３６１ｂは、上三角ボタンであり、押下等の操作がされることで設定温度を上げる制御指令を制御処理部６９に供給する。デジタルオブジェクト３６１ｂは、表示形状を強調表示用画像情報に基づいて表示されているため、強調表示されている。
【０２３６】
また、例えば、デジタルオブジェクト４１１ｄは、“冷房発停”という文字が表示され、冷房の運転を停止させるボタンとなっていると共に、表示形状を強調表示用画像情報に基づいて表示されているため、強調表示されている。デジタルオブジェクト４１１ｅは、“冷房モード”という文字が表示され、冷房モードの設定へ遷移させるボタンとなっていると共に、表示形状を強調表示用画像情報に基づいて表示されているため、強調表示されている。よって、リモートコントローラー３１は、使用環境の１つである操作履歴に応じて、最適で直感的なユーザインターフェース２０１を提供することができる。
【０２３７】
また、本実施の形態６においては、図２５に示すように、暖房運転時の設定内容が強調表示されている。例えば、デジタルオブジェクト４２１ａは、下三角ボタンであり、押下等の操作がされることで設定温度を下げる制御指令を制御処理部６９に供給する。デジタルオブジェクト４２１ａは、表示形状を強調表示用画像情報に基づいて表示されているため、強調表示されている。デジタルオブジェクト４２１ｂは、上三角ボタンであり、押下等の操作がされることで設定温度を上げる制御指令を制御処理部６９に供給する。デジタルオブジェクト４２１ｂは、表示形状を強調表示用画像情報に基づいて表示されているため、強調表示されている。
【０２３８】
また、例えば、デジタルオブジェクト４２１ｄは、“暖房発停”という文字が表示され、暖房の運転を停止させるボタンとなっていると共に、表示形状を強調表示用画像情報に基づいて表示されているため、強調表示されている。デジタルオブジェクト４２１ｅは、“暖房モード”という文字が表示され、暖房モードの設定へ遷移させるボタンとなっていると共に、表示形状を強調表示用画像情報に基づいて表示されているため、強調表示されている。よって、リモートコントローラー３１は、使用環境の１つである操作履歴に応じて、最適で直感的なユーザインターフェース２０１を提供することができる。
【０２３９】
以上、本実施の形態６におけるリモートコントローラー３１は、特に顕著に、使用環境に応じて、最適で直感的なユーザインターフェース２０１を供給することができる。
【０２４０】
以上の説明から、本実施の形態６においては、制御処理部６９は、デジタルオブジェクト３８１、３９１、４１１、４２１の表示形状を変更させる。
【０２４１】
また、本実施の形態６において、記憶部６５は、それぞれのデジタルオブジェクト３８１、３９１に対応する強調表示用画像情報と、それぞれのデジタルオブジェクト３８１、３９１に対応する通常表示用画像情報と、を備え、制御処理部６９は、周囲環境から想定される操作に応じたデジタルオブジェクト３８１、３９１を表示させる場合、周囲環境に対応するデジタルオブジェクト３８１、３９１の表示形状を強調表示用画像情報に基づいて表示させ、周囲環境に対応しないデジタルオブジェクト３８１、３９１の表示形状を通常表示用画像情報に基づいて表示させる。
【０２４２】
また、本実施の形態６において、記憶部６５は、それぞれのデジタルオブジェクト４１１、４２１に対応する強調表示用画像情報と、それぞれのデジタルオブジェクト４１１、４２１に対応する通常表示用画像情報と、を備え、制御処理部６９は、操作履歴から想定される操作に応じたデジタルオブジェクト４１１、４２１を表示させる場合、操作履歴に対応するデジタルオブジェクト４１１、４２１の表示形状を強調表示用画像情報に基づいて表示させ、操作履歴に対応しないデジタルオブジェクト４１１、４２１の表示形状を通常表示用画像情報に基づいて表示させる。
【０２４３】
上記構成で、特に顕著に、使用環境に応じて、最適で直感的なユーザインターフェース２０１を供給することができる。
【符号の説明】
【０２４４】
１  空気調和システム、１１  室外ユニット、２１、２１ａ〜２１ｃ  室内ユニット、３１、３１ａ〜３１ｃ  リモートコントローラー、４１  伝送線、４２  電源線、４３  冷媒配管、５１  通信部、５３  電源部、５５  タッチパネルディスプレイ、６１  操作入力部、６３  表示部、６５  記憶部、６７  センサモジュール、６９  制御処理部、８１  人感センサモジュール、８３  温度センサモジュール、８５  湿度センサモジュール、８７  照度センサモジュール、１０１  稼働状況判定モジュール、１０２  周囲環境判定モジュール、１０３  操作履歴判定モジュール、１０５  画像処理モジュール、１１１  存否判定モジュール、１１２  温度判定モジュール、１１３  湿度判定モジュール、１１６  運転モード判定モジュール、１１４  照度判定モジュール、１１８  オブジェクト状態判定モジュール、１１９  オブジェクト描画モジュール、１３１  焦電型赤外線センサ、１３２、１４２、１５２、１６２  信号処理部、１３３  人検知部、１４１  温度センサ、１５１  湿度センサ、１６１  照度センサ、１８１  稼働状態データ格納領域、１８２  周囲環境データ格納領域、１８３  デフォルトデータ格納領域、１８４  操作履歴データ格納領域、２０１  ユーザインターフェース、２１１、２１１ａ〜２１１ｇ、２５１、２５１ａ〜２５１ｅ、２６１、２６１ａ〜２６１ｅ、２７１、２７１ａ〜２７１ｇ、２８１、２８１ａ〜２８１ｇ、２９１、２９１ａ〜２９１ｅ、３１１、３１１ａ〜３１１ｅ、３２１、３２１ａ〜３２１ｇ、３３１、３３１ａ〜３３１ｇ、３４１、３４１ａ〜３４１ｅ、３５１、３５１ａ〜３５１ｅ、３６１、３６１ａ〜３６１ｇ、３７１、３７１ａ〜３７１ｇ、３８１、３８１ａ〜３８１ｅ、３９１、３９１ａ〜３９１ｅ、４１１、４１１ａ〜４１１ｇ、４２１、４２１ａ〜４２１ｇ  デジタルオブジェクト、５３０  室内温度判定指標、５３１、５３１ａ〜５３１ｃ  室内温度判定例、６０１〜６０８  温度判定前状態、６３１〜６３８  温度判定後第１状態、６６１〜６６８  温度判定後第２状態、７０１〜７０８  操作履歴判定前状態、７３１〜７３８  操作履歴判定後状態。
【図１】
0005980445.tif 000002
【図２】
0005980445.tif 000003
【図３】
0005980445.tif 000004
【図４】
0005980445.tif 000005
【図５】
0005980445.tif 000006
【図６】
0005980445.tif 000007
【図７】
0005980445.tif 000008
【図８】
0005980445.tif 000009
【図９】
0005980445.tif 000010
【図１０】
0005980445.tif 000011
【図１１】
0005980445.tif 000012
【図１２】
0005980445.tif 000013
【図１３】
0005980445.tif 000014
【図１４】
0005980445.tif 000015
【図１５】
0005980445.tif 000016
【図１６】
0005980445.tif 000017
【図１７】
0005980445.tif 000018
【図１８】
0005980445.tif 000019
【図１９】
0005980445.tif 000020
【図２０】
0005980445.tif 000021
【図２１】
0005980445.tif 000022
【図２２】
0005980445.tif 000023
【図２３】
0005980445.tif 000024
【図２４】
0005980445.tif 000025
【図２５】
0005980445.tif 000026